(57)【要約】【課題】作業員が点検対象となる機器を誤認して作業記録情報を作成してしまうことを防止することができるとともに、点検対象となる機器の現場に行ったことを担保し、現場に行かずに虚偽の作業記録情報が作成されることを防止することができる管理装置を提供する。【解決手段】機器管理装置４００は、点検対象機器を識別するための機器識別情報を含む作業指示情報と、点検対象機器の点検結果を含む作業記録情報とを記憶する管理情報記憶部４０３と、モバイル端末５００から送信された点検対象機器を識別するための機器識別情報が、管理情報記憶部４０３に記憶されている作業指示情報に含まれる点検対象機器の機器識別情報と一致する場合に、管理情報記憶部４０３に記憶されている作業記録情報を編集可能にする編集権限付与部４１０とを備える。【選択図】図４
2017194946.tif 000002
【特許請求の範囲】
【請求項１】
複数の機器の点検時に作成される作業記録情報を管理する管理装置であって、
前記複数の機器のうち点検対象となる点検対象機器から、当該点検対象機器を識別するための機器識別情報を取得する取得部と、
前記点検対象機器を識別するための前記機器識別情報を含む作業指示情報と、前記点検対象機器の点検結果を含む前記作業記録情報とを記憶する記憶部と、
前記取得部により取得された前記機器識別情報が、前記記憶部に記憶されている前記作業指示情報に含まれる前記点検対象機器の前記機器識別情報と一致する場合に、前記記憶部に記憶されている前記作業記録情報を編集可能にする編集権限付与部とを備える、
管理装置。
【請求項２】
前記取得部を備えるモバイル端末と、
前記記憶部及び前記編集権限付与部とを含み、前記モバイル端末と別体の機器管理装置とを備え、
前記取得部は、
前記点検対象機器から、当該点検対象機器の前記機器識別情報を表現する、当該点検対象機器に固有の画像を有する機器識別標識を読み取る読み取り部と、
前記読み取り部により読み取られた前記機器識別標識が対応する機器識別情報を特定する特定部とを備え、
前記モバイル端末は、
前記特定部により特定された前記機器識別情報を前記機器管理装置に送信する送信部をさらに備え、
前記機器管理装置は、
前記モバイル端末の前記送信部から送信された前記機器識別情報を受信する受信部をさらに備え、
前記編集権限付与部は、前記受信部により受信された前記機器識別情報と、前記記憶部に記憶されている前記作業指示情報に含まれる前記点検対象機器の前記機器識別情報とが一致する場合に、前記記憶部に記憶されている前記作業記録情報を編集可能にする、
請求項１記載の管理装置。
【請求項３】
前記機器識別標識は、前記複数の機器の各々に具備され、
前記作業指示情報は、前記点検対象機器の点検を行う作業員を識別するための個人識別情報をさらに含み、
前記作業員は、当該作業員の前記個人識別情報を表現する、当該作業員に固有の画像を有する個人識別標識を保持し、
前記読み取り部は、前記点検対象機器に具備された前記機器識別標識の読み取りと、前記作業員が保持している前記個人識別標識の読み取りとを同時に行い、
前記特定部は、前記読み取り部により読み取られた前記機器識別標識が対応する機器識別情報と、前記読み取り部により読み取られた前記個人識別標識が対応する個人識別情報とを特定し、
前記送信部は、前記特定部により特定された前記機器識別情報及び前記個人識別情報を前記機器管理装置に送信し、
前記受信部は、前記送信部から送信された前記機器識別情報及び前記個人識別情報を受信し、
前記編集権限付与部は、前記受信部により受信された前記機器識別情報と、前記記憶部に記憶されている前記作業指示情報に含まれる前記点検対象機器の前記機器識別情報とが一致し、且つ、前記受信部により受信された前記個人識別情報と、前記記憶部に記憶されている前記作業指示情報に含まれる前記点検対象機器の前記個人識別情報とが一致する場合に、前記作業記録情報を編集可能にする、
請求項２記載の管理装置。
【請求項４】
前記機器識別標識は、前記複数の機器の各々に具備され、
前記作業指示情報は、前記点検対象機器の点検を行う作業員を識別するための個人識別情報をさらに含み、
前記作業員は、当該作業員の前記個人識別情報を表現する、前記作業員に固有の画像を有する個人識別標識を保持し、
前記読み取り部は、前記点検対象機器に具備された前記機器識別標識の読み取りと、前記作業員が保持している前記個人識別標識の読み取りとを個別に行い、
前記特定部は、前記読み取り部により読み取られた前記機器識別標識が対応する機器識別情報と、前記読み取り部により読み取られた前記個人識別標識が対応する個人識別情報とを特定し、
前記送信部は、前記特定部により特定された前記機器識別情報及び前記個人識別情報を前記機器管理装置に送信し、
前記受信部は、前記送信部から送信された前記機器識別情報及び前記個人識別情報を受信し、
前記編集権限付与部は、前記読み取り部により前記機器識別標識と、前記個人識別標識とが読み取られた間隔が所定時間内であり、且つ、前記受信部により受信された前記機器識別情報と、前記記憶部に記憶されている前記作業指示情報に含まれる前記点検対象機器の前記機器識別情報とが一致し、且つ、前記受信部により受信された前記個人識別情報と、前記記憶部に記憶されている前記作業指示情報に含まれる前記点検対象機器の前記個人識別情報とが一致する場合に、前記作業記録情報を編集可能にする、
請求項２記載の管理装置。
【請求項５】
前記機器識別標識は、前記複数の機器の各々に具備され、
前記作業指示情報は、前記点検対象機器の点検を行う作業員を識別するための個人識別情報をさらに含み、
前記モバイル端末は、
当該モバイル端末を使用する作業者を識別するための個人識別情報を登録する登録部をさらに備え、
前記送信部は、前記特定部により特定された前記機器識別情報と、前記登録部に登録されている前記個人識別情報を前記機器管理装置に送信し、
前記受信部は、前記送信部から送信された前記機器識別情報及び前記個人識別情報を受信し、
前記編集権限付与部は、前記受信部により受信された前記機器識別情報と、前記記憶部に記憶されている前記作業指示情報に含まれる前記点検対象機器の前記機器識別情報とが一致し、且つ、前記受信部により受信された前記個人識別情報と、前記記憶部に記憶されている前記作業指示情報に含まれる前記点検対象機器の前記個人識別情報とが一致する場合に、前記作業記録情報を編集可能にする、
請求項２記載の管理装置。
【請求項６】
前記作業指示情報は、前記点検対象機器の点検を行う作業員を識別するための個人識別情報をさらに含み、
前記点検対象機器は、当該点検対象機器の前記機器識別標識と、当該点検対象機器の点検を行う作業員を識別するための前記個人識別情報を表現する、前記作業員に固有の画像を有する個人識別標識とを表示する表示部を備え、
前記読み取り部は、前記表示部に表示された前記機器識別標識の読み取りと、前記表示部に表示された前記個人識別標識の読み取りとを同時に行い、
前記特定部は、前記読み取り部により読み取られた前記機器識別標識が対応する機器識別情報と、前記読み取り部により読み取られた前記個人識別標識が対応する個人識別情報とを特定し、
前記送信部は、前記特定部により特定された前記機器識別情報及び前記個人識別情報を前記機器管理装置に送信し、
前記受信部は、前記送信部から送信された前記機器識別情報及び前記個人識別情報を受信し、
前記編集権限付与部は、前記受信部により受信された前記機器識別情報と、前記記憶部に記憶されている前記作業指示情報に含まれる前記点検対象機器の前記機器識別情報とが一致し、且つ、前記受信部により受信された前記個人識別情報と、前記記憶部に記憶されている前記作業指示情報に含まれる前記点検対象機器の前記個人識別情報とが一致する場合に、前記作業記録情報を編集可能にする、
請求項２記載の管理装置。
【請求項７】
前記作業指示情報は、前記点検対象機器の点検を行う作業員を識別するための個人識別情報をさらに含み、
前記点検対象機器は、当該点検対象機器の前記機器識別標識と、当該点検対象機器の点検を行う作業員を識別するための前記個人識別情報を表現する、前記作業員に固有の画像を有する個人識別標識とを表示する表示部を備え、
前記読み取り部は、前記表示部に表示された前記機器識別標識の読み取りと、前記表示部に表示された前記個人識別標識の読み取りとを個別に行い、
前記特定部は、前記読み取り部により読み取られた前記機器識別標識が対応する機器識別情報と、前記読み取り部により読み取られた前記個人識別標識が対応する個人識別情報とを特定し、
前記送信部は、前記特定部により特定された前記機器識別情報及び前記個人識別情報を前記機器管理装置に送信し、
前記受信部は、前記送信部から送信された前記機器識別情報及び前記個人識別情報を受信し、
前記編集権限付与部は、前記読み取り部により前記機器識別標識と、前記個人識別標識とが読み取られた間隔が所定時間内であり、且つ、前記受信部により受信された前記機器識別情報と、前記記憶部に記憶されている前記作業指示情報に含まれる前記点検対象機器の前記機器識別情報とが一致し、且つ、前記受信部により受信された前記個人識別情報と、前記記憶部に記憶されている前記作業指示情報に含まれる前記点検対象機器の前記個人識別情報とが一致する場合に、前記作業記録情報を編集可能にする、
請求項２記載の管理装置。
【請求項８】
前記作業指示情報は、前記個人識別情報毎に前記点検対象機器の点検順序を示す点検順序情報をさらに含み、
前記機器管理装置は、
前記受信部により受信された前記機器識別情報が、前記記憶部に記憶されている前記作業指示情報に含まれる前記点検順序情報が示す点検順序に従った前記点検対象機器の前記機器識別情報に一致しない場合、次に点検すべき前記点検対象機器の前記機器識別情報を提示する提示部をさらに備える、
請求項３〜７のいずれかに記載の管理装置。
【請求項９】
複数の機器の点検時に作成される作業記録情報を管理する管理装置の管理方法であって、
前記複数の機器のうち点検対象となる点検対象機器から、当該点検対象機器を識別するための機器識別情報を取得し、
取得した前記機器識別情報が、前記点検対象機器を識別するための前記機器識別情報を含む作業指示情報と、前記点検対象機器の点検結果を含む前記作業記録情報とを記憶する記憶部に記憶されている前記作業指示情報に含まれる前記点検対象機器の前記機器識別情報と一致する場合に、前記記憶部に記憶されている前記作業記録情報を編集可能にする、
管理方法。
【請求項１０】
複数の機器の点検時に作成される作業記録情報を管理する管理装置として、コンピュータを機能させるための管理プログラムであって、
前記コンピュータに、
前記複数の機器のうち点検対象となる点検対象機器から、当該点検対象機器を識別するための前記機器識別情報を取得し、
取得した前記機器識別情報が、前記点検対象機器を識別するための前記機器識別情報を含む作業指示情報と、前記点検対象機器の点検結果を含む前記作業記録情報とを記憶する記憶部に記憶されている前記作業指示情報に含まれる前記点検対象機器の前記機器識別情報と一致する場合に、前記記憶部に記憶されている前記作業記録情報を編集可能にする、
処理を実行させる管理プログラム。
【発明の詳細な説明】
【技術分野】
【０００１】
本開示は、複数の機器の点検時に作成される作業記録情報を管理する管理装置、管理方法及び管理プログラムに関し、例えば、工場、プラント施設、及び建設現場などに設置された複数の機器（設備を含む）を点検する際の作業記録作成に関するものである。
【背景技術】
【０００２】
近年、工場、建設現場、及びプラント施設などでは、多くの機器（設備を含む）の老朽化が進んでいる。また、高度な知見を持って保守及び安全管理の実務を担ってきた作業員の数は減少傾向にある。さらに、安全対策の一環として、機器の点検業務は重要となってきている。
【０００３】
このような背景から、機器の点検業務を効率化する取り組みが検討されている。点検業務の効率化の取り組みとして、近年では、機器の図面及び作業内容などを電子化し、モバイル端末を利用して現場で担当者が図面や作業手順を確認している。
【０００４】
しかしながら、点検業務が重要視されているにもかかわらず、膨大な機器を抱える工場、建設現場、及びプラント施設などでは、点検ミスや異常の見落としなどが発生している。
【０００５】
点検ミスや異常の見落としの最も大きな要因は、点検対象となる機器の誤認である。工場、建設現場、及びプラント施設などでは、類似した形状の機器が周囲に点在していることが多く、担当者が誤って点検対象の機器の現場付近の別の機器を点検してしまい、点検対象となる機器の点検が行われず、異常を見落としてしまう。
【０００６】
また、点検対象の機器には、その名称や機器番号が定められているが、名称や機器番号が他の機器の名称や機器番号と類似していることから、担当者の情報の錯誤や誤認によって、誤って点検対象の機器の現場付近の別の機器を点検してしまい、点検対象の機器の点検が行われず、異常を見落としてしまう。
【０００７】
さらに、点検指示が出ている機器に対して、担当者は、点検対象の機器の点検を行わずに、過去の作業記録を作成中の作業記録に転記して虚偽の報告を行い、機器の異常を見落としてしまうこともある。
【０００８】
このような課題に対して、特許文献１には、作業者の生体情報を用いて認証を行い、許可された作業者のみが機器の操作を行うようにすることが開示されている。これにより、プラントなどの監視制御システムにおける災害時や点検、保守時の操作権限を配慮し、リアルタイム制御において作業者の操作要求に対して作業者を認証できるとしている。
【０００９】
また、特許文献２では、機器又はその近傍に設けられ、機器情報が表示された表示板から抽出した識別情報と現場機器操作者の位置情報とを用いて、操作対象の機器であるか否かを照合し、管理室に照合結果を表示することが開示されている。これにより、人的判断ミスによる誤操作を抑制することができるとしている。
【先行技術文献】
【特許文献】
【００１０】
【特許文献１】特許第４８３２３７６号明細書
【特許文献２】特許第５５７９６６３号明細書
【発明の概要】
【発明が解決しようとする課題】
【００１１】
しかしながら、上記の従来の構成では、機器の点検時に作成される作業記録情報を如何に管理すべきかについて何ら検討されておらず、更なる改善が必要であった。
【００１２】
本開示は、上記課題を解決するもので、作業員が点検対象となる機器を誤認して作業記録情報を作成してしまうことを防止することができるとともに、点検対象となる機器の現場に行ったことを担保し、現場に行かずに虚偽の作業記録情報が作成されることを防止することができる管理装置、管理方法及び管理プログラムを提供することを目的とするものである。
【課題を解決するための手段】
【００１３】
前記従来の課題を解決するために、本開示の一態様に係る管理装置は、複数の機器の点検時に作成される作業記録情報を管理する管理装置であって、前記複数の機器のうち点検対象となる点検対象機器から、当該点検対象機器を識別するための機器識別情報を取得する取得部と、前記点検対象機器を識別するための前記機器識別情報を含む作業指示情報と、前記点検対象機器の点検結果を含む前記作業記録情報とを記憶する記憶部と、前記取得部により取得された前記機器識別情報が、前記記憶部に記憶されている前記作業指示情報に含まれる前記点検対象機器の前記機器識別情報と一致する場合に、前記記憶部に記憶されている前記作業記録情報を編集可能にする編集権限付与部とを備える。
【発明の効果】
【００１４】
本開示によれば、作業員が点検対象となる機器を誤認して作業記録情報を作成してしまうことを防止することができるとともに、点検対象となる機器の現場に行ったことを担保し、現場に行かずに虚偽の作業記録情報が作成されることを防止することができる。
【図面の簡単な説明】
【００１５】
【図１】本開示の実施の形態１に係る機器点検システムの全体構成の一例を示す概略図である。
【図２】図１に示す機器管理装置及びモバイル端末の利用場面の一例を示す図である。
【図３】図１に示すサーバ装置の構成の一例を示すブロック図である。
【図４】図１に示す機器管理装置の構成の一例を示すブロック図である。
【図５】図１に示すモバイル端末の構成の一例を示すブロック図である。
【図６】図１に示す機器点検システムの全体処理の一例を示すフローチャートである。
【図７】図４に示す機器管理装置の表示部に表示される管理情報一覧画面の一例を示す図である。
【図８】図４に示す機器管理装置の表示部に表示される作業指示情報画面の一例を示す図である。
【図９】図４に示す機器管理装置の表示部に表示される作業記録情報入力画面の一例を示す図である。
【図１０】図５に示すモバイル端末の機器点検時処理の一例を示すフローチャートである。
【図１１】図４に示す機器管理装置の機器点検時処理の一例を示すフローチャートである。
【図１２】本開示の実施の形態２に係る機器点検システムに使用されるＩＤカードの一例を示す図である。
【図１３】本開示の実施の形態２に係る機器点検システムのモバイル端末の機器点検時処理の一例を示すフローチャートである。
【図１４】本開示の実施の形態２に係る機器点検システムの機器管理装置の機器点検時処理の一例を示すフローチャートである。
【図１５】本開示の実施の形態３に係る機器点検システムのモバイル端末の構成の一例を示すブロック図である。
【図１６】図１５に示すモバイル端末の機器点検時処理の一例を示すフローチャートである。
【図１７】本開示の実施の形態４に係る機器点検システムの機器に備えられた機器表示板の構成の一例を示すブロック図である。
【図１８】図１７に示す機器表示板の機器点検時処理の一例を示すフローチャートである。
【発明を実施するための形態】
【００１６】
（本開示の基礎となった知見）
上記の特許文献１では、作業者の生体情報を用いた認証により許可された作業者しか機器の操作を行うことができず、機器の操作を行う作業員を制限してしまうため、機器の操作の担当ではない作業員が緊急時に機器を停止させるなどの柔軟な対応ができない。また、特許文献２では、現場機器操作者の位置情報を用いているので、操作対象の機器の一部を取り外して別の場所に移動し、その機器を点検する際には、現場機器操作者の位置情報と表示板から抽出した識別情報とを用いても、操作対象の機器であることを照合することができず、現場機器操作者は、操作対象の機器を点検できなくなる。
【００１７】
さらに、上記の従来の構成では、作業員が機器を現場で点検しなくても、虚偽の報告書が作成できてしまうことから、作業員が現場で点検を行ったことを担保できない。
【００１８】
このような課題を解決するために、本開示の一態様に係る管理装置は、複数の機器の点検時に作成される作業記録情報を管理する管理装置であって、前記複数の機器のうち点検対象となる点検対象機器から、当該点検対象機器を識別するための機器識別情報を取得する取得部と、前記点検対象機器を識別するための前記機器識別情報を含む作業指示情報と、前記点検対象機器の点検結果を含む前記作業記録情報とを記憶する記憶部と、前記取得部により取得された前記機器識別情報が、前記記憶部に記憶されている前記作業指示情報に含まれる前記点検対象機器の前記機器識別情報と一致する場合に、前記記憶部に記憶されている前記作業記録情報を編集可能にする編集権限付与部とを備える。
【００１９】
この構成によると、複数の機器のうち点検対象となる点検対象機器から、当該点検対象機器を識別するための機器識別情報を取得し、取得した機器識別情報が、記憶部に記憶されている作業指示情報に含まれる点検対象機器を識別するための機器識別情報と一致する場合に、記憶部に記憶されている作業記録情報を編集可能にしているので、工場、プラント施設、及び建設現場などに設置された複数の機器（設備を含む）を点検する際、作業員が点検対象となる機器を誤認して作業記録情報を作成してしまうことを防止することができるとともに、点検対象となる機器の現場に行ったことを担保し、現場に行かずに虚偽の作業記録情報が作成されることを防止することができる。
【００２０】
また、機器の点検を行う作業員を制限していないため、機器の点検の担当ではない作業員が緊急時に機器を点検するなどの柔軟な対応を行うことができる。さらに、作業員が点検対象となる機器の現場に行ったことを担保した上で、作業記録情報を編集可能にする編集権限を作業員に付与しているので、作業員が機器の一部を取り外して別の場所に移動し、その機器を点検する場合でも、作業記録情報を編集することができる。
【００２１】
上記管理装置は、前記取得部を備えるモバイル端末と、前記記憶部及び前記編集権限付与部とを含み、前記モバイル端末と別体の機器管理装置とを備え、前記取得部は、前記点検対象機器から、当該点検対象機器の前記機器識別情報を表現する、当該点検対象機器に固有の画像を有する機器識別標識を読み取る読み取り部と、前記読み取り部により読み取られた前記機器識別標識が対応する機器識別情報を特定する特定部とを備え、前記モバイル端末は、前記特定部により特定された前記機器識別情報を前記機器管理装置に送信する送信部をさらに備え、前記機器管理装置は、前記モバイル端末の前記送信部から送信された前記機器識別情報を受信する受信部をさらに備え、前記編集権限付与部は、前記受信部により受信された前記機器識別情報と、前記記憶部に記憶されている前記作業指示情報に含まれる前記点検対象機器の前記機器識別情報とが一致する場合に、前記記憶部に記憶されている前記作業記録情報を編集可能にするようにしてもよい。
【００２２】
この構成によると、管理装置は、モバイル端末と、モバイル端末と別体の機器管理装置とから構成される。ここで、モバイル端末は、点検対象機器から、当該点検対象機器の機器識別情報を表現する、当該点検対象機器に固有の画像を有する機器識別標識を読み取り、読み取った機器識別標識が対応する機器識別情報を特定し、特定した機器識別情報を機器管理装置に送信する。このとき、機器管理装置は、モバイル端末から送信された機器識別情報を受信し、受信した機器識別情報と、記憶部に記憶されている作業指示情報に含まれる点検対象機器の機器識別情報とが一致する場合に、記憶部に記憶されている作業記録情報を編集可能にしている。
【００２３】
したがって、上記の効果に加えて、作業員と他の作業員（例えば、管理者）とがモバイル端末と機器管理装置とを個別に使用することができるので、モバイル端末を使用する作業員が機器の点検を行い、機器管理装置を使用する他の作業員が作業員の機器の点検結果に基づいて作業記録情報を編集することもできる。
【００２４】
前記機器識別標識は、前記複数の機器の各々に具備され、前記作業指示情報は、前記点検対象機器の点検を行う作業員を識別するための個人識別情報をさらに含み、前記作業員は、当該作業員の前記個人識別情報を表現する、当該作業員に固有の画像を有する個人識別標識を保持し、前記読み取り部は、前記点検対象機器に具備された前記機器識別標識の読み取りと、前記作業員が保持している前記個人識別標識の読み取りとを同時に行い、前記特定部は、前記読み取り部により読み取られた前記機器識別標識が対応する機器識別情報と、前記読み取り部により読み取られた前記個人識別標識が対応する個人識別情報とを特定し、前記送信部は、前記特定部により特定された前記機器識別情報及び前記個人識別情報を前記機器管理装置に送信し、前記受信部は、前記送信部から送信された前記機器識別情報及び前記個人識別情報を受信し、前記編集権限付与部は、前記受信部により受信された前記機器識別情報と、前記記憶部に記憶されている前記作業指示情報に含まれる前記点検対象機器の前記機器識別情報とが一致し、且つ、前記受信部により受信された前記個人識別情報と、前記記憶部に記憶されている前記作業指示情報に含まれる前記点検対象機器の前記個人識別情報とが一致する場合に、前記作業記録情報を編集可能にするようにしてもよい。
【００２５】
この構成によると、機器識別標識は、複数の機器の各々に具備され、作業指示情報は、点検対象機器の点検を行う作業員を識別するための個人識別情報をさらに含み、作業員は、当該作業員の個人識別情報を表現する、当該作業員に固有の画像を有する個人識別標識を保持している。ここで、モバイル端末は、点検対象機器に具備された機器識別標識の読み取りと、作業員が保持している個人識別標識の読み取りとを同時に行い、読み取った機器識別標識が対応する機器識別情報と、読み取った個人識別標識が対応する個人識別情報とを特定し、特定した機器識別情報及び個人識別情報を機器管理装置に送信する。このとき、機器管理装置は、送信された機器識別情報及び個人識別情報を受信し、受信した機器識別情報と、記憶部に記憶されている作業指示情報に含まれる点検対象機器の機器識別情報とが一致し、且つ、受信した個人識別情報と、記憶部に記憶されている作業指示情報に含まれる点検対象機器の個人識別情報とが一致する場合に、作業記録情報を編集可能にしている。
【００２６】
したがって、点検対象機器の機器識別情報の一致に加えて、作業員の個人識別情報の一致も確認しているので、工場、プラント施設、及び建設現場などに設置された複数の機器（設備を含む）を点検する際、作業員が点検対象となる機器を誤認して作業記録情報を作成してしまうことを確実に防止することができるとともに、点検対象となる機器の現場に行ったことを担保し、現場に行かずに虚偽の作業記録情報が作成されることを確実に防止することができる。
【００２７】
前記機器識別標識は、前記複数の機器の各々に具備され、前記作業指示情報は、前記点検対象機器の点検を行う作業員を識別するための個人識別情報をさらに含み、前記作業員は、当該作業員の前記個人識別情報を表現する、前記作業員に固有の画像を有する個人識別標識を保持し、前記読み取り部は、前記点検対象機器に具備された前記機器識別標識の読み取りと、前記作業員が保持している前記個人識別標識の読み取りとを個別に行い、前記特定部は、前記読み取り部により読み取られた前記機器識別標識が対応する機器識別情報と、前記読み取り部により読み取られた前記個人識別標識が対応する個人識別情報とを特定し、前記送信部は、前記特定部により特定された前記機器識別情報及び前記個人識別情報を前記機器管理装置に送信し、前記受信部は、前記送信部から送信された前記機器識別情報及び前記個人識別情報を受信し、前記編集権限付与部は、前記読み取り部により前記機器識別標識と、前記個人識別標識とが読み取られた間隔が所定時間内であり、且つ、前記受信部により受信された前記機器識別情報と、前記記憶部に記憶されている前記作業指示情報に含まれる前記点検対象機器の前記機器識別情報とが一致し、且つ、前記受信部により受信された前記個人識別情報と、前記記憶部に記憶されている前記作業指示情報に含まれる前記点検対象機器の前記個人識別情報とが一致する場合に、前記作業記録情報を編集可能にするようにしてもよい。
【００２８】
この構成によると、機器識別標識は、複数の機器の各々に具備され、作業指示情報は、点検対象機器の点検を行う作業員を識別するための個人識別情報をさらに含み、作業員は、当該作業員の個人識別情報を表現する、当該作業員に固有の画像を有する個人識別標識を保持している。ここで、モバイル端末は、点検対象機器に具備された機器識別標識の読み取りと、作業員が保持している個人識別標識の読み取りとを個別に行い、読み取った機器識別標識が対応する機器識別情報と、読み取った個人識別標識が対応する個人識別情報とを特定し、特定した機器識別情報及び個人識別情報を機器管理装置に送信する。このとき、機器管理装置は、送信された機器識別情報及び個人識別情報を受信し、機器識別標識と、個人識別標識とが読み取られた間隔が所定時間内であり、且つ、受信した機器識別情報と、記憶部に記憶されている作業指示情報に含まれる点検対象機器の機器識別情報とが一致し、且つ、受信した個人識別情報と、記憶部に記憶されている作業指示情報に含まれる点検対象機器の個人識別情報とが一致する場合に、作業記録情報を編集可能にしている。
【００２９】
したがって、機器識別標識と、個人識別標識とが読み取られた間隔が所定時間内である場合に限り、点検対象機器の機器識別情報の一致に加えて、作業員の個人識別情報の一致も確認しているので、工場、プラント施設、及び建設現場などに設置された複数の機器（設備を含む）を点検する際、機器識別標識の読み取りと、作業員が保持している個人識別標識の読み取りとを個別に行う場合でも、作業員が点検対象となる機器を誤認して作業記録情報を作成してしまうことを確実に防止することができるとともに、点検対象となる機器の現場に行ったことを担保し、現場に行かずに虚偽の作業記録情報が作成されることを確実に防止することができる。
【００３０】
前記機器識別標識は、前記複数の機器の各々に具備され、前記作業指示情報は、前記点検対象機器の点検を行う作業員を識別するための個人識別情報をさらに含み、前記モバイル端末は、当該モバイル端末を使用する作業者を識別するための個人識別情報を登録する登録部をさらに備え、前記送信部は、前記特定部により特定された前記機器識別情報と、前記登録部に登録されている前記個人識別情報を前記機器管理装置に送信し、前記受信部は、前記送信部から送信された前記機器識別情報及び前記個人識別情報を受信し、前記編集権限付与部は、前記受信部により受信された前記機器識別情報と、前記記憶部に記憶されている前記作業指示情報に含まれる前記点検対象機器の前記機器識別情報とが一致し、且つ、前記受信部により受信された前記個人識別情報と、前記記憶部に記憶されている前記作業指示情報に含まれる前記点検対象機器の前記個人識別情報とが一致する場合に、前記作業記録情報を編集可能にするようにしてもよい。
【００３１】
この構成によると、機器識別標識は、複数の機器の各々に具備され、作業指示情報は、点検対象機器の点検を行う作業員を識別するための個人識別情報をさらに含み、モバイル端末には、当該モバイル端末を使用する作業者を識別するための個人識別情報が予め登録されている。ここで、モバイル端末は、点検対象機器に具備された機器識別標識の読み取りを行い、読み取った機器識別標識が対応する機器識別情報を特定し、特定した機器識別情報及び登録している個人識別情報を機器管理装置に送信する。このとき、機器管理装置は、送信された機器識別情報及び個人識別情報を受信し、受信した機器識別情報と、記憶部に記憶されている作業指示情報に含まれる点検対象機器の機器識別情報とが一致し、且つ、受信した個人識別情報と、記憶部に記憶されている作業指示情報に含まれる点検対象機器の個人識別情報とが一致する場合に、作業記録情報を編集可能にしている。
【００３２】
したがって、点検対象機器の機器識別情報の一致に加えて、作業員の個人識別情報の一致も確認しているので、工場、プラント施設、及び建設現場などに設置された複数の機器（設備を含む）を点検する際、作業員が点検対象となる機器を誤認して作業記録情報を作成してしまうことを確実に防止することができるとともに、点検対象となる機器の現場に行ったことを担保し、現場に行かずに虚偽の作業記録情報が作成されることを確実に防止することができる。また、作業員の個人識別情報がモバイル端末に予め登録されているので、作業員の個人識別情報を表現する固有の画像を有する個人識別標識が不要となり、装置の構成及び処理を簡略することができる。
【００３３】
前記作業指示情報は、前記点検対象機器の点検を行う作業員を識別するための個人識別情報をさらに含み、前記点検対象機器は、当該点検対象機器の前記機器識別標識と、当該点検対象機器の点検を行う作業員を識別するための前記個人識別情報を表現する、前記作業員に固有の画像を有する個人識別標識とを表示する表示部を備え、前記読み取り部は、前記表示部に表示された前記機器識別標識の読み取りと、前記表示部に表示された前記個人識別標識の読み取りとを同時に行い、前記特定部は、前記読み取り部により読み取られた前記機器識別標識が対応する機器識別情報と、前記読み取り部により読み取られた前記個人識別標識が対応する個人識別情報とを特定し、前記送信部は、前記特定部により特定された前記機器識別情報及び前記個人識別情報を前記機器管理装置に送信し、前記受信部は、前記送信部から送信された前記機器識別情報及び前記個人識別情報を受信し、前記編集権限付与部は、前記受信部により受信された前記機器識別情報と、前記記憶部に記憶されている前記作業指示情報に含まれる前記点検対象機器の前記機器識別情報とが一致し、且つ、前記受信部により受信された前記個人識別情報と、前記記憶部に記憶されている前記作業指示情報に含まれる前記点検対象機器の前記個人識別情報とが一致する場合に、前記作業記録情報を編集可能にするようにしてもよい。
【００３４】
この構成によると、作業指示情報は、点検対象機器の点検を行う作業員を識別するための個人識別情報をさらに含み、点検対象機器の表示部は、当該点検対象機器の機器識別標識と、当該点検対象機器の点検を行う作業員を識別するための個人識別情報を表現する、作業員に固有の画像を有する個人識別標識とを表示する。ここで、モバイル端末は、表示された機器識別標識の読み取りと、表示された個人識別標識の読み取りとを同時に行い、読み取った機器識別標識が対応する機器識別情報と、読み取った個人識別標識が対応する個人識別情報とを特定し、特定した機器識別情報及び個人識別情報を機器管理装置に送信する。このとき、機器管理装置は、送信された機器識別情報及び個人識別情報を受信し、受信した機器識別情報と、記憶部に記憶されている作業指示情報に含まれる点検対象機器の機器識別情報とが一致し、且つ、受信した個人識別情報と、記憶部に記憶されている作業指示情報に含まれる点検対象機器の個人識別情報とが一致する場合に、作業記録情報を編集可能にしている。
【００３５】
したがって、点検対象機器の表示部が表示している機器識別標識及び個人識別標識を用いて、点検対象機器の機器識別情報の一致に加えて、作業員の個人識別情報の一致も確認しているので、工場、プラント施設、及び建設現場などに設置された複数の機器（設備を含む）を点検する際、作業員が点検対象となる機器を誤認して作業記録情報を作成してしまうことをより確実に防止することができるとともに、点検対象となる機器の現場に行ったことを担保し、現場に行かずに虚偽の作業記録情報が作成されることをより確実に防止することができる。
【００３６】
前記作業指示情報は、前記点検対象機器の点検を行う作業員を識別するための個人識別情報をさらに含み、前記点検対象機器は、当該点検対象機器の前記機器識別標識と、当該点検対象機器の点検を行う作業員を識別するための前記個人識別情報を表現する、前記作業員に固有の画像を有する個人識別標識とを表示する表示部を備え、前記読み取り部は、前記表示部に表示された前記機器識別標識の読み取りと、前記表示部に表示された前記個人識別標識の読み取りとを個別に行い、前記特定部は、前記読み取り部により読み取られた前記機器識別標識が対応する機器識別情報と、前記読み取り部により読み取られた前記個人識別標識が対応する個人識別情報とを特定し、前記送信部は、前記特定部により特定された前記機器識別情報及び前記個人識別情報を前記機器管理装置に送信し、前記受信部は、前記送信部から送信された前記機器識別情報及び前記個人識別情報を受信し、前記編集権限付与部は、前記読み取り部により前記機器識別標識と、前記個人識別標識とが読み取られた間隔が所定時間内であり、且つ、前記受信部により受信された前記機器識別情報と、前記記憶部に記憶されている前記作業指示情報に含まれる前記点検対象機器の前記機器識別情報とが一致し、且つ、前記受信部により受信された前記個人識別情報と、前記記憶部に記憶されている前記作業指示情報に含まれる前記点検対象機器の前記個人識別情報とが一致する場合に、前記作業記録情報を編集可能にするようにしてもよい。
【００３７】
この構成によると、作業指示情報は、点検対象機器の点検を行う作業員を識別するための個人識別情報をさらに含み、点検対象機器の表示部は、当該点検対象機器の機器識別標識と、当該点検対象機器の点検を行う作業員を識別するための個人識別情報を表現する、作業員に固有の画像を有する個人識別標識とを表示する。ここで、モバイル端末は、表示された機器識別標識の読み取りと、表示された個人識別標識の読み取りとを個別に行い、読み取った機器識別標識が対応する機器識別情報と、読み取った個人識別標識が対応する個人識別情報とを特定し、特定した機器識別情報及び個人識別情報を機器管理装置に送信する。このとき、機器管理装置は、送信された機器識別情報及び個人識別情報を受信し、機器識別標識と、個人識別標識とが読み取られた間隔が所定時間内であり、且つ、受信した前記機器識別情報と、記憶部に記憶されている作業指示情報に含まれる点検対象機器の機器識別情報とが一致し、且つ、受信した個人識別情報と、記憶部に記憶されている作業指示情報に含まれる点検対象機器の個人識別情報とが一致する場合に、作業記録情報を編集可能にしている。
【００３８】
したがって、機器識別標識と、個人識別標識とが読み取られた間隔が所定時間内である場合に限り、点検対象機器の表示部が表示している機器識別標識及び個人識別標識を用いて、点検対象機器の機器識別情報の一致に加えて、作業員の個人識別情報の一致も確認しているので、工場、プラント施設、及び建設現場などに設置された複数の機器（設備を含む）を点検する際、表示された機器識別標識の読み取りと、表示された個人識別標識の読み取りとを個別に行う場合でも、作業員が点検対象となる機器を誤認して作業記録情報を作成してしまうことを確実に防止することができるとともに、点検対象となる機器の現場に行ったことを担保し、現場に行かずに虚偽の作業記録情報が作成されることを確実に防止することができる。
【００３９】
前記作業指示情報は、前記個人識別情報毎に前記点検対象機器の点検順序を示す点検順序情報をさらに含み、前記機器管理装置は、前記受信部により受信された前記機器識別情報が、前記記憶部に記憶されている前記作業指示情報に含まれる前記点検順序情報が示す点検順序に従った前記点検対象機器の前記機器識別情報に一致しない場合、次に点検すべき前記点検対象機器の前記機器識別情報を提示する提示部をさらに備えるようにしてもよい。
【００４０】
この構成によると、作業指示情報は、個人識別情報毎に点検対象機器の点検順序を示す点検順序情報をさらに含み、機器管理装置は、受信した機器識別情報が、記憶部に記憶されている作業指示情報に含まれる点検順序情報が示す点検順序に従った点検対象機器の機器識別情報に一致しない場合、次に点検すべき点検対象機器の機器識別情報を提示しているので、工場、プラント施設、及び建設現場などに設置された複数の機器（設備を含む）を点検する際、作業者が機器の点検順序を誤認している場合でも、正しい点検順序で機器を点検することができる。
【００４１】
また、本開示は、以上のような特徴的な構成を備える管理装置として実現することができるだけでなく、管理装置が備える特徴的な構成に対応する特徴的な処理を実行する管理方法などとして実現することもできる。また、このような管理方法に含まれる特徴的な処理をコンピュータに実行させるコンピュータプログラムとして実現することもできる。したがって、以下の他の態様でも、上記の管理装置と同様の効果を奏することができる。
【００４２】
本開示の他の態様に係る管理方法は、複数の機器の点検時に作成される作業記録情報を管理する管理装置の管理方法であって、前記複数の機器のうち点検対象となる点検対象機器から、当該点検対象機器を識別するための機器識別情報を取得し、取得した前記機器識別情報が、前記点検対象機器を識別するための前記機器識別情報を含む作業指示情報と、前記点検対象機器の点検結果を含む前記作業記録情報とを記憶する記憶部に記憶されている前記作業指示情報に含まれる前記点検対象機器の前記機器識別情報と一致する場合に、前記記憶部に記憶されている前記作業記録情報を編集可能にする。
【００４３】
本開示の他の態様に係る管理プログラムは、複数の機器の点検時に作成される作業記録情報を管理する管理装置として、コンピュータを機能させるための管理プログラムであって、前記コンピュータに、前記複数の機器のうち点検対象となる点検対象機器から、当該点検対象機器を識別するための前記機器識別情報を取得し、取得した前記機器識別情報が、前記点検対象機器を識別するための前記機器識別情報を含む作業指示情報と、前記点検対象機器の点検結果を含む前記作業記録情報とを記憶する記憶部に記憶されている前記作業指示情報に含まれる前記点検対象機器の前記機器識別情報と一致する場合に、前記記憶部に記憶されている前記作業記録情報を編集可能にする、処理を実行させる。
【００４４】
そして、上記のようなコンピュータプログラムを、ＣＤ−ＲＯＭ等のコンピュータ読み取り可能な非一時的な記録媒体あるいはインターネット等の通信ネットワークを介して流通させることができるのは、言うまでもない。
【００４５】
また、上記の管理装置の構成要素の一部とそれ以外の構成要素とを複数のコンピュータに分散させたシステムとして構成してもよい。
【００４６】
以下、本開示の実施の形態について、図面を参照しながら説明する。
【００４７】
なお、以下で説明する実施の形態は、いずれも本開示の一具体例を示すためのものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また、全ての実施の形態において、各々の内容を組み合わせることもできる。
【００４８】
（実施の形態１）
図１は、本開示の実施の形態１に係る機器点検システムの全体構成の一例を示す概略図である。図１において、機器点検システムは、サーバ装置１００と、入力デバイス２００と、監視モニタ３００と、複数の機器管理装置４００Ａ〜４００Ｎ（以下、「機器管理装置４００」とも記載）と、複数のモバイル端末５００Ａ〜５００Ｎ（以下、「モバイル端末５００」とも記載）とを備える。
【００４９】
サーバ装置１００、入力デバイス２００、及び監視モニタ３００は、工場、プラント施設、及び建設現場などの運営本部に設置される。機器管理装置４００Ａ〜４００Ｎ及びモバイル端末５００Ａ〜５００Ｎは、複数の機器６００Ａ〜６００Ｎ（以下、「機器６００」とも記載）の各々が設置されている各点検現場において、作業者により使用される。例えば、作業者は、機器管理装置４００Ａ及びモバイル端末５００Ａを用いて、機器６００Ａの点検を行う。
【００５０】
複数の機器６００Ａ〜６００Ｎの各々は、各機器を識別するための機器識別情報を表現する各機器に固有の画像を有する機器識別標識６０１Ａ〜６０１Ｎ（以下、「機器識別標識６０１」とも記載）を具備する。例えば、機器識別標識６０１Ａは、作業者が使用するモバイル端末５００Ａが撮影可能な機器６００Ａの前面の所定位置に固定される。
【００５１】
サーバ装置１００と、機器管理装置４００Ａ〜４００Ｎと、モバイル端末５００Ａ〜５００Ｎとは、所定のネットワークを介して相互に通信可能に接続されている。ネットワークは、無線ネットワーク又は有線ネットワークである。無線ネットワークは、例えば、無線ＬＡＮ（Ｌｏｃａｌ  Ａｒｅａ  Ｎｅｔｗｏｒｋ）、無線ＷＡＮ（Ｗｉｄｅ  Ａｒｅａ  Ｎｅｔｗｏｒｋ）、３Ｇ（第３世代移動通信システム：ｔｈｅ  ３ｒｄ  Ｇｅｎｅｒａｔｉｏｎ  ｍｏｂｉｌｅ  ｃｏｍｍｕｎｉｃａｔｉｏｎ  ｓｙｓｔｅｍ）、ＬＴＥ（Ｌｏｎｇ  Ｔｅｒｍ  Ｅｖｏｌｕｔｉｏｎ）又はＷｉＧｉｇ（Ｗｉｒｅｌｅｓｓ  Ｇｉｇａｂｉｔ）などである。有線ネットワークは、例えば、イントラネット又はインターネットなどである。
【００５２】
運営本部のサーバ装置１００は、点検対象となる機器６００Ａ〜６００Ｎの情報、作業指示情報、作業記録情報、機器管理装置４００Ａ〜４００Ｎの情報、及びモバイル端末５００Ａ〜５００Ｎの情報等を管理している。運営本部から各機器６００Ａ〜６００Ｎの点検の指示を出す際には、サーバ装置１００に対して作業指示情報の登録が行われる。作業指示情報としては、少なくとも、機器６００Ａ〜６００Ｎを識別するための機器識別情報として、例えば、機器６００Ａ〜６００Ｎの機器番号を含み、その他の情報として、例えば、機器名、作業実施時期、作業エリア、作業担当、及び過去の作業結果などを含むようにしてもよい。なお、これらの情報は、一例であり、これに限定されるものではない。
【００５３】
作業指示情報における機器番号は、各機器６００Ａ〜６００Ｎに割り当てられた固有の機器ＩＤ（ＩＤｅｎｔｉｆｉｃａｔｉｏｎ）情報を示す。機器名は、各機器６００Ａ〜６００Ｎに与えられた任意の名称である。実施時期は、機器６００Ａ〜６００Ｎの点検を行う予定の日時、又は最後に点検を行った際の日時である。作業エリアは、工場、プラント施設、及び建設現場などの各拠点内での機器６００Ａ〜６００Ｎの位置を示すエリア情報、又はＧＰＳ（Ｇｌｏｂａｌ  Ｐｏｓｉｔｉｏｎｉｎｇ  Ｓｙｓｔｅｍ）などによって取得された機器６００Ａ〜６００Ｎの位置情報などである。作業担当は、機器６００Ａ〜６００Ｎの点検を行う担当の作業員又は複数の作業員から構成される作業グループを示す。作業結果は、機器６００Ａ〜６００Ｎの点検業務を行った際の判定結果及び作業状況を示し、作業指示情報が発行されているが、作業が行われていない状態では、空欄としてもよい。作業状況は、作業が完了済みか、未着手か、などの状況を示す。
【００５４】
入力デバイス２００は、例えば、マウス、キーボード、タッチパネル、又はタッチパッドを用いて構成され、作業員の入力操作に応じた信号をサーバ装置１００や、サーバ装置１００を介してモバイル端末５００Ａ〜５００Ｎに出力する。また、入力デバイス２００として、マイクを用いた場合、サーバ装置１００に対して音声で入力操作を行うことや、モバイル端末５００Ａ〜５００Ｎに対して音声による通知を行い、作業指示を行うこともできる。
【００５５】
監視モニタ３００は、例えば、ＬＣＤ（Ｌｉｑｕｉｄ  Ｃｒｙｓｔａｌ  Ｄｉｓｐｌａｙ）、又は有機ＥＬ（Ｅｌｅｃｔｒｏ  Ｌｕｍｉｎｅｓｃｅｎｃｅ）ディスプレイを用いて構成され、サーバ装置１００によって管理された機器６００Ａ〜６００Ｎの点検の作業情報や、機器管理装置４００Ａ〜４００Ｎ及びモバイル端末５００Ａ〜５００Ｎから送信される映像情報や機器情報、及び作業員の状態などを表示する。
【００５６】
機器管理装置４００Ａ〜４００Ｎは、各現場の作業員、作業指示を出す作業リーダー、及び作業記録の作成を担当する作業員が６００Ａ〜６００Ｎの作業記録情報を作成する際や、機器６００Ａ〜６００Ｎの情報を参照する際に、利用される。また、機器管理装置４００Ａ〜４００Ｎは、点検現場以外で利用される場合もあり、現場の作業員の点検結果を遠隔地で入力して作業記録を作成することもできる。
【００５７】
モバイル端末５００Ａ〜５００Ｎは、各現場の作業員が身に付けて点検業務に利用するカメラ機能を備える端末である。
【００５８】
なお、現場の作業員が点検作業に加えて、現場で直接作業記録情報を作成する場合には、例えば、機器管理装置４００と、モバイル端末５００とを一体化し、モバイル端末装置（管理装置）としてもよい。
【００５９】
図２は、図１に示す機器管理装置４００及びモバイル端末５００の利用場面の一例を示す図である。図２に示すように、作業者の前面には、機器６００が設置されており、例えば、機器６００の右上部に機器識別標識６０１が張り付けられている。機器管理装置４００は、例えば、タブレット等から構成され、作業者に把持されて使用される。モバイル端末５００は、例えば、ウェアラブルカメラ等から構成され、作業者の頭部に装着され、作業者の前面を自動的に撮影し、機器識別標識６０１を撮影する。なお、点検される機器６００は、図２に示すような直方体等の装置形状を有する機器に特に限定されず、大きな設備を一つの機器として点検したり、設備の配管等の一部の部品を機器として点検する等の種々の変更が可能である。
【００６０】
図３は、図１に示すサーバ装置１００の構成の一例を示すブロック図である。サーバ装置１００は、作業指示情報入力部１０１と、作業指示情報登録部１０２と、管理情報記憶部１０３と、管理情報送信部１０４と、作業記録情報受信部１０５と、作業記録情報登録部１０６とを含む。
【００６１】
作業指示情報入力部１０１は、例えば、ＣＰＵ（Ｃｅｎｔｒａｌ  Ｐｒｏｃｅｓｓｉｎｇ  Ｕｎｉｔ）、又はＭＰＵ（Ｍｉｃｒｏ  Ｐｒｏｃｅｓｓｉｎｇ  Ｕｎｉｔ）などを用いて構成され、入力デバイス２００を用いて入力された作業指示情報を作業指示情報登録部１０２に出力する。
【００６２】
作業指示情報登録部１０２は、例えば、ＣＰＵ、又はＭＰＵなどを用いて構成され、作業指示情報を管理情報記憶部１０３へ出力して保存する。
【００６３】
管理情報記憶部１０３は、例えば、半導体メモリ、又はハードディスク装置などを用いて構成され、作業指示情報登録部１０２及び作業記録情報登録部１０６から出力された機器６００の管理情報を記憶する。機器６００の管理情報は、点検対象となる機器６００の作業指示情報及び作業記録情報を含み、機器番号に対応付けて管理される。
【００６４】
管理情報送信部１０４は、例えば、通信装置などを用いて構成され、外部からの要求によって管理情報記憶部１０３が記憶する機器の管理情報を取得し、指定の受信装置（例えば、機器管理装置４００）へ送信する。
【００６５】
作業記録情報受信部１０５は、例えば、通信装置などを用いて構成され、外部（例えば、機器管理装置４００）から送信された作業記録情報を受信し、作業記録情報登録部１０６へ出力する。
【００６６】
作業記録情報登録部１０６は、例えば、ＣＰＵ、又はＭＰＵなどを用いて構成され、作業記録情報受信部１０５から入力された作業記録情報を管理情報記憶部１０３へ出力し、管理情報記憶部１０３に記憶されている管理情報を更新する。
【００６７】
次に、機器管理装置４００Ａ〜４００Ｎは同じ構成であるので、機器管理装置４００として、その構成について説明する。図４は、図１に示す機器管理装置４００の構成の一例を示すブロック図である。
【００６８】
図４に示す機器管理装置４００は、管理情報受信部４０１と、管理情報登録部４０２と、管理情報記憶部４０３と、管理情報取得部４０４と、表示部４０５と、作業情報入力部４０６と、作業記録情報更新部４０７と、作業記録情報送信部４０８と、ＩＤ情報受信部４０９と、編集権限付与部４１０と、を含む。
【００６９】
管理情報受信部４０１は、例えば、通信装置などを用いて構成され、機器番号に対応付けられた作業指示情報及び作業記録情報を含む管理情報の一覧をサーバ装置１００から受信し、管理情報登録部４０２へ出力する。
【００７０】
管理情報登録部４０２は、例えば、ＣＰＵ、又はＭＰＵなどを用いて構成され、管理情報受信部４０１で受信した機器６００の管理情報を管理情報記憶部４０３へ出力する。
【００７１】
管理情報記憶部４０３は、例えば、半導体メモリ、又はハードディスク装置などを用いて構成され、管理情報登録部４０２から出力された機器６００の管理情報を記憶する。機器６００の管理情報は、点検対象となる機器６００の作業指示情報及び作業記録情報を含み、機器番号に対応付けて管理される。
【００７２】
管理情報取得部４０４は、例えば、ＣＰＵ、又はＭＰＵなどを用いて構成され、管理情報記憶部４０３に記憶された機器６００の管理情報を取得し、表示部４０５へ出力する。
【００７３】
表示部４０５は、例えば、ＬＣＤ、又は有機ＥＬディスプレイなどを用いて構成され、管理情報取得部４０４から出力された機器６００の管理情報を表示する。
【００７４】
作業情報入力部４０６は、マウス、キーボード、タッチパネル、又はタッチパッドなどを用いて構成され、作業員の入力操作に応じて作業記録情報等を含む作業情報を作業記録情報更新部４０７に対して出力する。
【００７５】
作業記録情報更新部４０７は、例えば、ＣＰＵ、又はＭＰＵなどを用いて構成され、作業情報入力部４０６から入力された作業情報を用いて、選択された機器番号に対応する作業記録情報の更新処理を行う。作業記録情報更新部４０７は、機器番号毎に作業記録情報の編集権限を保持しており、編集権限付与部４１０から編集権限を与えられた機器番号に対応する作業記録情報のみを編集することができる。編集権限が与えられている場合には、作業記録情報更新部４０７は、管理情報記憶部４０３の作業記録情報を更新し、さらに、更新後の作業記録情報を作業記録情報送信部４０８へ出力する。
【００７６】
作業記録情報送信部４０８は、例えば、通信装置などを用いて構成され、作業記録情報更新部４０７から入力された作業記録情報を外部（例えば、サーバ装置１００）へ出力する。
【００７７】
ＩＤ情報受信部４０９は、例えば、通信装置などを用いて構成され、モバイル端末５００から送信された機器ＩＤ情報を受信し、編集権限付与部４１０へ出力する。
【００７８】
編集権限付与部４１０は、ＩＤ情報受信部４０９から受信した機器ＩＤ情報を用いて作業記録情報の編集権限を決定し、決定した編集権限を作業記録情報更新部４０７に対して付与する。
【００７９】
次に、モバイル端末５００Ａ〜５００Ｎは同じ構成であるので、モバイル端末５００として、その構成について説明する。図５は、図１に示すモバイル端末５００の構成の一例を示すブロック図である。モバイル端末５００は、撮像部５０１と、画像入力部５０２と、識別子認識部５０３と、送信情報生成部５０４と、ＩＤ情報送信部５０５とを含む。
【００８０】
撮像部５０１は、レンズとイメージセンサとを少なくとも有し、作業者が点検現場に到着したとき、点検対象となる機器６００の機器識別標識６０１を撮影し、撮影した画像を電気信号に変換して画像入力部５０２に出力する。具体的には、レンズは、モバイル端末５００の外部から入射する光（光線）を集め、イメージセンサの所定の撮像面に結像させる。イメージセンサは、例えば、ＣＣＤ（Ｃｈａｒｇｅｄ  Ｃｏｕｐｌｅｄ  Ｄｅｖｉｃｅ）、又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）の固体撮像素子であり、撮像面に結像した光学像を電気信号に変換する。
【００８１】
画像入力部５０２は、例えば、ＣＰＵ、ＭＰＵ、又はＤＳＰ（Ｄｉｇｉｔａｌ  Ｓｉｇｎａｌ  Ｐｒｏｃｅｓｓｏｒ）などを用いて構成され、撮像部５０１からの電気信号を用いて所定の信号処理を行うことにより、人間が認識可能なＲＧＢ（Ｒｅｄ  Ｇｒｅｅｎ  Ｂｌｕｅ）又はＹＵＶ（輝度・色差）等に規定される撮像画像データをフレーム単位で生成して識別子認識部５０３に出力する。
【００８２】
識別子認識部５０３は、例えば、ＣＰＵ、ＭＰＵ、ＤＳＰ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、又はＦＰＧＡ（Ｆｉｅｌｄ  Ｐｒｏｇｒａｍｍａｂｌｅ  Ｇａｔｅ  Ａｒｒａｙ）等によって構成され、入力された撮像画像データから識別子となる機器６００の機器識別標識６０１を認識し、認識した機器識別標識６０１から機器ＩＤ情報を抽出して送信情報生成部５０４に出力する。
【００８３】
ここで、機器識別標識６０１は、点検対象となる機器６００の機器識別情報を表現する、当該機器６００に固有の画像を有する識別子である。機器識別標識６０１としては、機器ＩＤ情報を埋め込んだＪＡＮ（Ｊａｐａｎｅｓｅ  Ａｒｔｉｃｌｅ  Ｎｕｍｂｅｒ）コード、ＥＡＮ（Ｅｕｒｏｐｉａｎ  Ａｒｔｉｃｌｅ  Ｎｕｍｂｅｒ）コード、ＩＴＦ（Ｉｎｔｅｒｌｅａｖｅｄ  Ｔｗｏ  ｏｆ  Ｆｉｖｅ）コードなどの１次元コード、ＱＲコード（登録商標）、色の配列で情報を表現するカラーコードなどの２次元コードなどが利用できる。
【００８４】
これらの１次元コード又は２次元コードを用いて、機器を識別するための機器識別情報が表現されているので、作業者は、機器識別標識６０１から直接的に機器識別情報を判別することができない。したがって、後述する作業記録情報の編集権限を得るためには、作業者は、モバイル端末５００を用いて機器識別標識６０１を読み取る必要があり、作業者が点検対象となる機器６００の現場に行ったことを担保することができる。
【００８５】
本実施の形態においては、機器識別標識６０１として、ＱＲコードを例に説明を行うが、あくまで一例であり、これに限定されるものではない。また、機器識別標識６０１の認識には、機器識別標識６０１の種類に応じた既知の技術を用いればよく、機器識別標識６０１の認識結果として、機器ＩＤ情報を送信情報生成部５０４へ出力する。
【００８６】
なお、機器６００からの機器識別情報の取得方法は、上記の例に特に限定されず、機器識別標識６０１に代えて、機器６００に具備されたＮＦＣ（Ｎｅａｒ  ｆｉｅｌｄ  ｃｏｍｍｕｎｉｃａｔｉｏｎ）タグやＲＦＩＤ（Ｒａｄｉｏ  Ｆｒｅｑｕｅｎｃｙ  ＩＤｅｎｔｉｆｉｃａｔｉｏｎ）タグ等を用いて、機器６００の機器識別情報をモバイル端末５００に送信するようにしてもよい。
【００８７】
送信情報生成部５０４は、例えば、ＣＰＵ、又はＭＰＵなどを用いて構成され、入力された機器ＩＤ情報から送信データを作成し、ＩＤ情報送信部５０５へ出力する。本実施の形態においては、機器管理装置４００及びモバイル端末５００がネットワークで相互に接続されている。したがって、送信情報生成部５０４は、ネットワークを介して機器ＩＤ情報を送信する際には、ヘッダ情報を付与し、ＨＴＴＰ（Ｈｙｐｅｒｔｅｘｔ  Ｔｒａｎｓｆｅｒ  Ｐｒｏｔｏｃｏｌ）リクエストを作成する。なお、送信データは、上記の例に特に限定されず、例えば、機器管理装置４００と、モバイル端末５００とが一つのモバイル端末装置として構成されている場合には、単にテキストファイルを作成してもよい。
【００８８】
ＩＤ情報送信部５０５は、例えば、通信装置などを用いて構成され、送信情報生成部５０４から入力された、機器ＩＤ情報を含む送信データを外部へ出力する。本実施の形態においては、ＩＤ情報送信部５０５は、ネットワークを介して機器管理装置４００に対して送信を行う。機器管理装置４００と、モバイル端末５００とが一つのモバイル端末装置として構成されている場合には、テキストファイルを出力してもよい。 
【００８９】
次に、図１に示す機器点検システムの全体処理について説明する。図６は、図１に示す機器点検システムの全体処理の一例を示すフローチャートである。
【００９０】
まず、運営本部から機器６００の点検業務に関する作業指示を出すため、入力デバイス２００は、作業員の操作に応じて、サーバ装置１００に対して機器の作業指示情報を登録する（ステップＳ００）。例えば、入力デバイス２００は、機器の作業指示情報として、監視モニタ３００に表示された作業情報入力画面を用いて、各種の点検作業に必要な情報をサーバ装置１００に登録する。作業指示情報は、少なくとも機器６００の機器番号を含み、その他の情報として、機器番号に対応する機器名、作業実施時期、作業エリア、作業担当、及び過去の作業結果などがあげられるが、これらの情報は、あくまで一例であり、これに限定されるものではない。入力された作業指示情報は、サーバ装置１００の管理情報記憶部１０３に保存される。
【００９１】
次に、機器管理装置４００は、サーバ装置１００の管理情報記憶部１０３に登録された機器６００の管理情報を取得する（ステップＳ０１）。なお、機器管理装置４００は、機器管理装置４００Ａ〜４００Ｎのいずれかであり、いずれであっても処理は同じである。管理情報記憶部１０３に保存された管理情報は、機器管理装置４００からの作業員の管理情報取得の要求に応じて、サーバ装置１００の管理情報送信部１０４から出力され、機器管理装置４００に送信される。なお、本実施の形態では、サーバ装置１００と、機器管理装置４００とは互いにネットワークで接続されているため、ネットワークを介して情報を送信しているが、この例に特に限定されず、外部ストレージ等を利用して管理情報を外部に出力してもよい。
【００９２】
上記処理により、機器管理装置４００の管理情報受信部４０１は、サーバ装置１００から送信された管理情報を受信し、管理情報登録部４０２は、受信した管理情報を管理情報記憶部４０３に記憶する。
【００９３】
機器管理装置４００に各機器６００の管理情報が保存されると、点検を行う作業員又は作業グループの作業員は、例えば、モバイル端末５００Ａと機器管理装置４００Ａとを持ち、機器６００Ａの点検業務を行う。なお、モバイル端末５００Ａは、一例であり、モバイル端末５００Ｂ〜５００Ｎのいずれであっても、処理は同じである。
【００９４】
図７は、図４に示す機器管理装置４００の表示部４０５に表示される管理情報一覧画面の一例を示す図である。機器管理装置４００では、管理情報取得部４０４は、管理情報記憶部４０３から機器６００の管理情報を取得し、表示部４０５は、図７に示す管理情報一覧画面を表示する。図７に示す表示部４０５の管理情報一覧画面には、機器番号、機器名、作業実施時期、作業エリア、作業担当、判定結果、及び作業状況などの主要な管理項目の組が表形式で表示される。機器管理装置４００の表示部４０５において、管理情報一覧画面から該当する機器の管理情報を選択すると、その機器に対応する作業指示情報の詳細として、作業指示情報画面（後述する図８参照）が表示される。
【００９５】
次に、モバイル端末５００は、機器６００に備えられた機器識別標識６０１を読み取って機器６００の機器ＩＤ情報を取得し、機器管理装置４００へ送信する（ステップＳ０２）。ここで、点検対象の機器６００は、機器６００の機器番号に対応したＱＲコード等の機器識別標識６０１を備えており、作業員は、モバイル端末５００を用いて、機器６００に備えられた機器識別標識６０１を読み取って機器ＩＤ情報を取得し、機器管理装置４００へ送信する。
【００９６】
次に、機器管理装置４００の編集権限付与部４１０は、ＩＤ情報受信部４０９により受信された機器ＩＤ情報と、管理情報記憶部４０３に記憶されている作業指示情報に含まれる機器ＩＤ情報とが一致する場合に、管理情報記憶部４０３に記憶されている作業記録情報に対する編集権限を付与する（ステップＳ０３）。
【００９７】
図８は、図４に示す機器管理装置４００の表示部４０５に表示される作業指示情報画面の一例を示す図である。図８に示す作業指示情報画面には、例えば、機器６００の管理情報Ｐ１、作業手順Ｐ２、機器図面Ｐ３（例えば、バルブの図面）、及び記録作成ボタンＢ１などが表示されるが、あくまで一例であり、これに限定されるものではない。
【００９８】
作業員は、表示部４０５に表示された機器６００の管理情報Ｐ１や作業手順Ｐ２を参照しながら、機器６００の点検業務を行う。作業員は、機器６００の点検業務を終えると、作業記録情報を入力するため、機器管理装置４００の作業指示情報画面に対して、作業記録の作成要求を行い、表示部４０５に作業記録情報入力画面を表示させる。
【００９９】
例えば、作業員は、作業記録の作成要求として、作業情報入力部４０６を用いて作業指示情報画面上の記録作成ボタンＢ１を押せばよい。この際、編集権限付与部４１０によって編集権限を付与されていない場合は、作業指示情報画面上に記録作成ボタンＢ１が表示されず、作業記録情報の入力及び登録をすることはできない。一方、編集権限付与部４１０によって編集権限を付与されている場合は、作業指示情報画面上に記録作成ボタンＢ１が表示される。 
【０１００】
図９は、図４に示す機器管理装置４００の表示部４０５に表示される作業記録情報入力画面の一例を示す図である。図９に示す作業記録情報入力画面には、例えば、点検対象となる機器６００の判定結果Ｐ１１及び対応処置Ｐ１２、その他コメント欄Ｐ１３、並びに登録ボタンＢ１１などが表示されるが、あくまで一例であり、これに限定されるものではない。
【０１０１】
作業員は、機器６００の点検業務を終えると、上記の作業記録情報入力画面を用いて、機器６００の点検結果を含む作業記録情報を入力し、作業記録情報を登録する。このように、機器管理装置４００を用いて、作業記録情報入力画面から登録要求を行うことにより、作業記録情報が登録される。例えば、作業員は、登録要求として、作業記録情報入力画面上の登録ボタンＢ１１を押せばよい。
【０１０２】
最後に、作業者が点検業務を行って点検結果を入力すると、作業記録情報更新部４０７は、編集権限付与部４１０により編集権限が付与された管理情報記憶部４０３の作業記録情報を更新するとともに、作業記録情報送信部４０８を用いて、更新後の作業記録情報をサーバ装置１００に送信する。サーバ装置１００は、作業記録情報受信部１０５及び作業記録情報登録部１０６を用いて、受信した作業記録情報を管理情報記憶部１０３に登録する（ステップＳ０４）。
【０１０３】
以上が機器点検システムの全体の処理の説明である。次に、モバイル端末５００によって、機器識別標識６０１を読み取り、機器管理装置４００へ送信する機器点検時処理（ステップＳ０２）の詳細について説明する。
【０１０４】
図１０は、図５に示すモバイル端末５００の機器点検時処理の一例を示すフローチャートである。
【０１０５】
まず、モバイル端末５００の画像入力部５０２は、撮像部５０１により撮影された画像から撮像画像データを生成し、識別子認識部５０３へ入力する（ステップＳ１０）。このとき、画像入力部５０２は、所定のフレームレートで定期的に撮像画像データを生成し、各フレームの撮像画像データに対して以下の処理が繰り返し実行される。
【０１０６】
次に、識別子認識部５０３は、入力された撮像画像データに識別子となる機器識別標識６０１が存在しているか否かを検出する（ステップＳ１１）。機器識別標識６０１の検出に関しては、ＱＲコードの読み取りに利用されるような既知の技術を用いればよい。該当フレームの撮像画像データに機器識別標識６０１が存在していない場合（ステップＳ１１でＮＯ）、該当フレームの撮像画像データに対して何もせずに処理を終了する。該当フレームの撮像画像データに機器識別標識６０１が存在している場合（ステップＳ１１でＹＥＳ）、ステップＳ１２の処理へ進む。
【０１０７】
次に、識別子認識部５０３は、撮像画像データから既知の技術を用いて機器識別標識６０１を認識し、機器識別標識６０１を機器ＩＤ情報に変換する（ステップＳ１２）。
【０１０８】
次に、送信情報生成部５０４は、変換された機器ＩＤ情報を用いて送信データを作成する（ステップＳ１３）。
【０１０９】
次に、ＩＤ情報送信部５０５は、ネットワークを介して、作成された送信データを機器管理装置４００へ送信する（ステップＳ１４）。その後、次のフレームの撮像画像データを処理するために、ステップＳ１０以降の処理を繰り返す。
【０１１０】
次に、機器管理装置４００において、機器ＩＤ情報を受信した後に作業記録情報の編集権限を付与する機器点検時処理（ステップＳ０３）の詳細について説明する。
【０１１１】
図１１は、図４に示す機器管理装置４００の機器点検時処理の一例を示すフローチャートである。
【０１１２】
まず、機器管理装置４００のＩＤ情報受信部４０９は、モバイル端末５００から機器６００の機器番号に対応する機器ＩＤ情報を受信する（ステップＳ２０）。
【０１１３】
次に、編集権限付与部４１０は、受信した機器ＩＤ情報が、管理情報記憶部４０３に記憶されている管理情報の作業指示情報の中に存在するか否かを判定する（ステップＳ２１）。管理情報の作業指示情報の中に、受信した機器ＩＤ情報が存在している場合（ステップＳ２１でＹＥＳ）、ステップＳ２２へ処理を進め、管理情報の作業指示情報の中に、受信した機器ＩＤ情報が存在していない場合（ステップＳ２１でＮＯ）、ステップＳ２６へ処理を進める。
【０１１４】
受信した機器ＩＤ情報が作業指示情報の中に存在している場合（ステップＳ２１でＹＥＳ）、編集権限付与部４１０は、作業記録情報更新部４０７に対して機器ＩＤ情報に対応する作業記録情報の編集権限を付与する（ステップＳ２２）。
【０１１５】
次に、作業記録情報更新部４０７は、編集権限が付与されると、表示部４０５の表示画面を更新し、作成記録情報の作成ボタン（例えば、図８に示す記録作成ボタンＢ１）を表示させる（ステップＳ２３）。
【０１１６】
次に、作成記録情報の作成ボタンが押されると、作業情報入力部４０６は、作業者により入力された各種作業結果の情報を作業記録情報更新部４０７に出力し、作業記録情報更新部４０７は、管理情報記憶部４０３の作業記録情報を更新する（ステップＳ２４）。
【０１１７】
次に、管理情報記憶部４０３の作業記録情報が更新されると、作業記録情報更新部４０７は、作業記録情報送信部４０８を用いて、更新された作業記録情報をサーバ装置１００に対して送信する（ステップＳ２５）。これにより、機器６００の点検結果を運営本部でも参照することが可能となる。
【０１１８】
一方、受信した機器ＩＤ情報が作業指示情報の中に存在していない場合（ステップＳ２１でＮＯ）、編集権限付与部４１０は、誤った機器の点検を行おうとしていることを警告するメッセージを表示するように表示部４０５に指示し、表示部４０５は、誤った機器の点検を行おうとしていることを警告するメッセージを表示する（ステップＳ２６）。これにより、機器６００の誤認を防ぐことができる。
【０１１９】
以上のように、実施の形態１における機器点検システムの構成によれば、機器管理装置４００と、モバイル端末５００とによって、点検対象の機器６００の機器ＩＤ情報と、作業指示情報に含まれる機器ＩＤ情報とを利用して、作業記録情報の編集権限を付与することにより、作業員が点検対象の機器６００を誤認することなく点検業務を行うことができる。
【０１２０】
また、作業員が点検対象の機器６００の前に行って、モバイル端末５００によって機器６００に具備された機器識別標識６０１を認識させる必要があるので、現場に行かずに虚偽の作業記録を作成することを防ぐことが可能となる。
【０１２１】
なお、複数の機器６００の点検ルートが予め規定されている場合には、機器管理装置４００は、受信した機器ＩＤ情報が点検ルートに規定された機器の順番に合致しているかを判定し、合致していない場合には、規定された点検ルートや次に点検すべき機器を画面上に提示するようにしてもよい。
【０１２２】
具体的には、作業指示情報は、点検対象の機器６００の点検順序を示す点検順序情報をさらに含み、編集権限付与部４１０は、受信した機器ＩＤ情報が、管理情報記憶部４０３に記憶されている作業指示情報に含まれる点検順序情報が示す点検順序に従った機器の機器ＩＤ情報に一致しない場合、次に点検すべき機器６００の機器ＩＤ情報を表示するように表示部４０５に指示し、表示部４０５は、次に点検すべき機器６００の機器ＩＤ情報を表示する。これにより、点検ルートの誤認を防ぐこともできる。
【０１２３】
（実施の形態２）
次に、本開示の実施の形態２に係る機器点検システムについて説明する。本実施の形態では、実施の形態１の構成に加えて、作業員又は作業グループ（個人）を識別するための個人ＩＤ情報（個人識別情報）を利用し、機器の機器ＩＤ情報に加えて、個人ＩＤ情報を用いて作業記録情報の編集権限を付与する。
【０１２４】
すなわち、本実施の形態の機器点検システムの構成は、図１に示す機器点検システムの構成と同様であり、機器管理装置の構成は、図４に示す機器管理装置４００の構成と同様であり、モバイル端末の構成は、図５に示すモバイル端末５００の構成と同様であるため、図示及び共通する部分の説明を省略し、実施の形態１と異なる点について、以下に詳細に説明する。
【０１２５】
運営本部から作業指示が出される際、サーバ装置１００から送信される作業指示情報は、少なくとも機器６００の機器番号である機器ＩＤ情報に加えて、作業を行う予定の作業員又は作業グループの個人ＩＤ情報を含む。したがって、サーバ装置１００の管理情報記憶部１０３と、機器管理装置４００の管理情報記憶部４０３とは、機器６００の管理情報として、少なくとも機器ＩＤ情報及び個人ＩＤ情報を含む作業指示情報を記憶する。
【０１２６】
さらに、機器６００の点検を行う作業員は、個人ＩＤ情報に対応する識別子となる個人識別標識を有するＩＤカード（身分証明書）を所持している。図１２は、本開示の実施の形態２に係る機器点検システムに使用されるＩＤカードの一例を示す図である。図１２に示すＩＤカード７００には、通常のＩＤカードの氏名等に加え、個人識別標識７０１が印刷されている。個人識別標識７０１は、点検を行う作業員（又は作業員が属するグループ）を識別するための個人識別情報を表現する、当該作業員（又は作業員が属するグループ）に固有の画像を有する識別子であり、本実施の形態では、例えば、ＱＲコード（登録商標）を用いている。
【０１２７】
例えば、作業者は、モバイル端末５００が撮影可能な位置にＩＤカード７００を移動し、モバイル端末５００は、機器６００の機器識別標識６０１を撮影する際に、ＩＤカードの個人識別標識７０１も同時に撮影する。この場合、作業者は、作業記録情報の編集権限を得るために、モバイル端末５００を用いて機器識別標識６０１と個人識別標識７０１とを同時に読み取る必要があり、作業者が点検対象となる機器６００の現場に行ったことを担保することができる。
【０１２８】
なお、個人識別標識の構成は、上記の例に特に限定されず、リストバンド等の作業者が装着する部材に個人識別標識を具備したり、又は、機器識別標識６０１と同様に、ＪＡＮコード、ＥＡＮコード、ＩＴＦコードなどの１次元コード、カラーコードなどの２次元コードを用いる等の種々の変更が可能である。
【０１２９】
上記の相違点から、本実施の形態の機器点検システムの全体処理と、実施の形態１の機器点検システムの全体処理とは、図６に示すフローチャートのステップＳ０２の処理（モバイル端末５００の機器点検時処理）及びステップＳ０３の処理（機器管理装置４００の機器点検時処理）が異なり、その他の処理は実施の形態１と同様であるので、詳細な説明を省略し、異なる処理についてのみ以下に説明する。
【０１３０】
図１３は、本開示の実施の形態２に係る機器点検システムのモバイル端末５００の機器点検時処理の一例を示すフローチャートである。
【０１３１】
まず、モバイル端末５００の画像入力部５０２は、実施の形態１と同様に、撮像部５０１により撮影された画像から撮像画像データを生成し、識別子認識部５０３へ入力する（ステップＳ３０）。このとき、画像入力部５０２は、所定のフレームレートで定期的に撮像画像データを生成し、各フレームの撮像画像データに対して以下の処理が繰り返し実行される。
【０１３２】
次に、識別子認識部５０３は、入力された撮像画像データに二つの識別子すなわち機器識別標識６０１及び個人識別標識７０１が存在しているか否かを検出する（ステップＳ３１）。機器識別標識６０１及び個人識別標識７０１の検出に関しては、ＱＲコードの読み取りに利用されるような既知の技術を用いればよい。当該フレームの撮像画像データに機器識別標識６０１及び個人識別標識７０１が存在していない場合（少なくとも一方の識別子が存在していない場合）（ステップＳ３１でＮＯ）、該当フレームの撮像画像データに対して何もせずに処理を終了する。該当フレームの撮像画像データに機器識別標識６０１及び個人識別標識７０１が存在している場合（ステップＳ３１でＹＥＳ）、ステップＳ３２の処理へ進む。
【０１３３】
次に、識別子認識部５０３は、既知の技術を用いて機器識別標識６０１及び個人識別標識７０１を認識し、機器識別標識６０１及び個人識別標識７０１を機器ＩＤ情報及び個人ＩＤ情報に変換する（ステップＳ３２）。
【０１３４】
次に、送信情報生成部５０４は、変換された機器ＩＤ情報及び個人ＩＤ情報を用いて送信データを作成する（ステップＳ３３）。
【０１３５】
次に、ＩＤ情報送信部５０５は、ネットワークを介して送信データを機器管理装置４００へ送信する（ステップＳ３４）。その後、次のフレームの撮像画像データを処理するために、ステップＳ３０以降の処理を繰り返す。
【０１３６】
次に、機器管理装置４００において、機器ＩＤ情報及び個人ＩＤ情報を受信した後に作業記録情報の編集権限を付与する機器点検時処理の詳細について説明する。
【０１３７】
図１４は、本開示の実施の形態２に係る機器点検システムの機器管理装置の機器点検時処理の一例を示すフローチャートである。
【０１３８】
まず、機器管理装置４００のＩＤ情報受信部４０９は、モバイル端末５００から機器６００の機器番号に対応する機器ＩＤ情報と作業員又は作業グループを表す個人ＩＤ情報とを受信する（ステップＳ４０）。
【０１３９】
次に、編集権限付与部４１０は、受信した機器ＩＤ情報が、管理情報記憶部４０３に記憶されている管理情報の作業指示情報の中に存在するか否かを判定する（ステップＳ４１）。管理情報の作業指示情報の中に、受信した機器ＩＤ情報が存在していない場合（ステップＳ４１でＮＯ）、ステップＳ４２へ処理を進め、管理情報の作業指示情報の中に、受信した機器ＩＤ情報が存在している場合（ステップＳ４１でＹＥＳ）、ステップＳ４３へ処理を進める。
【０１４０】
受信した機器ＩＤ情報が作業指示情報の中に存在していない場合（ステップＳ４１でＮＯ）、編集権限付与部４１０は、誤った機器の点検を行おうとしていることを警告するメッセージを表示するように表示部４０５に指示し、表示部４０５は、誤った機器の点検を行おうとしていることを警告するメッセージを表示する（ステップＳ４２）。これにより、機器６００の誤認を防ぐことができる。
【０１４１】
受信した機器ＩＤ情報が作業指示情報の中に存在している場合（ステップＳ４１でＹＥＳ）、編集権限付与部４１０は、管理情報記憶部４０３に記憶されている管理情報の作業指示情報の中から、受信した機器ＩＤ情報に対応する作業指示情報を抽出し、受信した個人ＩＤ情報が、受信した機器ＩＤ情報に対応する作業指示情報に含まれる作業対象の個人ＩＤ情報に一致しているか否かを判定する（ステップＳ４３）。
【０１４２】
受信した個人ＩＤ情報が受信した機器ＩＤ情報に対応する作業指示情報の個人ＩＤ情報に一致していない場合（ステップＳ４３でＮＯ）、ステップＳ４４へ処理を進め、受信した個人ＩＤ情報が受信した機器ＩＤ情報に対応する作業指示情報の個人ＩＤ情報に一致している場合（ステップＳ４３でＹＥＳ）、ステップＳ４５へ処理を進める。
【０１４３】
受信した個人ＩＤ情報が受信した機器ＩＤ情報に対応する作業指示情報の個人ＩＤ情報に一致していない場合（ステップＳ４３でＮＯ）、編集権限付与部４１０は、担当の作業員ではないことを警告するメッセージを表示するように表示部４０５に指示し、表示部４０５は、担当の作業員ではないことを警告するメッセージを表示する（ステップＳ４４）。これにより、機器６００の誤認を防ぐことができる。
【０１４４】
一方、受信した個人ＩＤ情報が受信した機器ＩＤ情報に対応する作業指示情報の個人ＩＤ情報に一致している場合（ステップＳ４３でＹＥＳ）、編集権限付与部４１０は、作業記録情報更新部４０７に対して機器ＩＤ情報に対応する作業記録情報の編集権限を付与する（ステップＳ４５）。
【０１４５】
次に、作業記録情報更新部４０７は、編集権限が付与されると、表示部４０５の表示画面を更新し、作成記録情報の作成ボタン（例えば、図８に示す記録作成ボタンＢ１）を表示させる（ステップＳ４６）。
【０１４６】
次に、作成記録情報の作成ボタンが押されると、作業情報入力部４０６は、作業者により入力された各種作業結果の情報を作業記録情報更新部４０７に出力し、作業記録情報更新部４０７は、管理情報記憶部４０３の作業記録情報を更新する（ステップＳ４７）。
【０１４７】
次に、管理情報記憶部４０３の作業記録情報が更新されると、作業記録情報更新部４０７は、作業記録情報送信部４０８を用いて、更新された作業記録情報をサーバ装置１００に対して送信する（ステップＳ４８）。これにより、機器６００の点検結果を運営本部でも参照することが可能となる。
【０１４８】
以上のように、実施の形態２における機器点検システムの構成によれば、機器管理装置４００と、モバイル端末５００とによって、点検対象の機器６００の機器ＩＤ情報と作業員を識別する個人ＩＤ情報とを同時に読み取り、読み取った機器ＩＤ情報及び個人ＩＤ情報と、作業指示情報に含まれる機器ＩＤ情報及び個人ＩＤ情報とを利用して、作業記録情報の編集権限を付与することにより、作業員が点検対象の機器６００を誤認することなく点検業務を行うことができる。
【０１４９】
また、作業員が点検対象の機器６００の前に行って、モバイル端末５００によって機器６００に具備された機器識別標識６０１及び自身のＩＤカード７００の個人識別標識７０１を認識させる必要があるので、現場に行かずに虚偽の作業記録情報を作成することを防ぐことが可能となる。
【０１５０】
さらに、実施の形態２における機器点検システムでは、誤認により、他の作業員が担当するはずの機器６００を点検してしまうことも防止することが可能である。
【０１５１】
なお、本実施の形態では、モバイル端末５００で機器６００の機器識別標識６０１を撮影する際に、個人ＩＤ情報に対応する個人識別標識７０１を持つＩＤカード７００を同時に撮影することを特徴としているが、機器６００の機器識別標識６０１と、ＩＤカード７００の個人識別標識７０１とを別々に撮影し、機器ＩＤ情報及び個人ＩＤ情報の送信に加えて、機器識別標識６０１を読み取った際の時間情報と、個人識別標識７０１を読み取った際の時間情報とを機器管理装置４００へ送信し、機器識別標識６０１を読み取った時刻と、個人識別標識７０１を読み取った時刻との時刻の差が所定の時間内であれば、同時に撮影したとみなしてもよい。
【０１５２】
具体的には、作業指示情報は、機器６００の点検を行う作業員を識別するための個人識別情報をさらに含み、作業員は、当該作業員の個人識別情報を表現する、作業員に固有の画像を有する個人識別標識７０１を有するＩＤカード７００を保持する。
【０１５３】
ここで、モバイル端末５００の撮像部５０１及び画像入力部５０２は、機器６００に具備された機器識別標識６０１の読み取りを行い、読み取った画像から生成した撮像画像データとともに、読み取り時刻を識別子認識部５０３に出力する。また、機器識別標識６０１の読み取りと異なる時刻（機器識別標識６０１の読み取り前又は後）において、撮像部５０１及び画像入力部５０２は、作業員が保持しているＩＤカード７００が有する個人識別標識７０１の読み取りを行い、読み取った画像から生成した撮像画像データとともに、読み取り時刻を識別子認識部５０３に出力する。識別子認識部５０３は、各撮像画像データから、読み取られた機器識別標識６０１が対応する機器識別情報と、読み取られた個人識別標識７０１が対応する個人識別情報とを特定し、特定した機器識別情報及び個人識別情報と、各読み取り時刻とを送信情報生成部５０４に出力する。送信情報生成部５０４は、特定した機器識別情報及び個人識別情報と、各読み取り時刻とを含む送信データを作成し、ＩＤ情報送信部５０５を用いて、作成した送信データを機器管理装置４００に送信する。
【０１５４】
機器管理装置４００のＩＤ情報受信部４０９は、モバイル端末５００から送信された、機器識別情報及び個人識別情報と、各読み取り時刻とを含む送信データを受信して編集権限付与部４１０に出力する。編集権限付与部４１０は、機器識別標識６０１の読み取り時刻と、個人識別標識７０１の読み取り時刻との間隔が所定時間内であり、且つ、受信した機器識別情報と、管理情報記憶部４０３に記憶されている作業指示情報に含まれる点検対象機器の機器識別情報とが一致し、且つ、受信した個人識別情報と、管理情報記憶部４０３に記憶されている作業指示情報に含まれる点検対象機器の個人識別情報とが一致する場合に、作業記録情報を編集可能にする。
【０１５５】
この場合、機器識別標識と、個人識別標識とが読み取られた間隔が所定時間内である場合に限り、点検対象の機器６００の機器識別情報の一致に加えて、作業員の個人識別情報の一致も確認しているので、複数の機器６００を点検する際、機器識別標識６０１の読み取りと、作業員が保持している個人識別標識７０１の読み取りとを個別に行う場合でも、作業員が点検対象となる機器を誤認して作業記録情報を作成してしまうことを確実に防止することができるとともに、点検対象となる機器の現場に行ったことを担保し、現場に行かずに虚偽の作業記録情報が作成されることを確実に防止することができる。
【０１５６】
また、複数の機器６００の点検ルートが予め規定されている場合には、機器管理装置４００は、受信した機器ＩＤ情報が点検ルートに規定された機器の順番に合致しているかを判定し、合致していない場合には、規定された点検ルートや次に点検すべき機器を画面上に提示するようにしてもよい。
【０１５７】
具体的には、作業指示情報は、個人識別情報毎に点検対象の機器の点検順序を示す点検順序情報をさらに含み、編集権限付与部４１０は、受信した機器ＩＤ情報が、管理情報記憶部４０３に記憶されている作業指示情報に含まれる、受信した個人ＩＤ情報に対応付けられている点検順序情報が示す点検順序に従った機器の機器ＩＤ情報に一致しない場合、次に点検すべき機器の機器ＩＤ情報を表示するように表示部４０５に指示し、表示部４０５は、次に点検すべき機器の機器ＩＤ情報を表示する。これにより、各作業員に対して点検ルートの誤認を防ぐこともできる。なお、上記の点に関しては、後述する実施の形態も同様である。
【０１５８】
（実施の形態３）
次に、本開示の実施の形態３に係る機器点検システムについて説明する。本実施の形態では、実施の形態２の構成と同様に、実施の形態１の構成に加えて、作業員又は作業グループ（個人）を識別するための個人ＩＤ情報（個人識別情報）を利用し、機器の機器ＩＤ情報に加えて、個人ＩＤ情報を用いて作業記録情報の編集権限を付与するが、機器の点検を行う前に、個人ＩＤ情報をモバイル端末に登録しておくことを特徴とする。
【０１５９】
すなわち、本実施の形態の機器点検システムの構成は、モバイル端末を除き、図１に示す機器点検システムの構成と同様であり、機器管理装置の構成は、図４に示す機器管理装置４００の構成と同様であるため、図示及び共通する部分の説明を省略し、実施の形態１、２と異なる点について、以下に詳細に説明する。
【０１６０】
図１５は、本開示の実施の形態３に係る機器点検システムのモバイル端末の構成の一例を示すブロック図である。なお、図１５において、図５に示すモバイル端末５００と同じ構成要素については、同じ符号を用い、その説明を省略する。
【０１６１】
本実施の形態では、図５に示すモバイル端末５００に代えて、図１５に示すモバイル端末５００ａが用いられる。図１５に示すモバイル端末５００ａは、図５に示す撮像部５０１、画像入力部５０２、識別子認識部５０３、送信情報生成部５０４、及びＩＤ情報送信部５０５に加えて、個人ＩＤ情報入力部５０６と、個人ＩＤ情報登録部５０７と、個人ＩＤ情報記憶部５０８と、個人ＩＤ情報取得部５０９と、表示部５１０とをさらに備える。撮像部５０１、画像入力部５０２、識別子認識部５０３、送信情報生成部５０４、及びＩＤ情報送信部５０５は、実施の形態２と同様に構成され、同様に動作する。
【０１６２】
個人ＩＤ情報入力部５０６は、例えば、マウス、キーボード、タッチパネル、又はタッチパッドなどを用いて構成され、点検作業を行う作業員の個人ＩＤ情報を入力される。また、個人ＩＤ情報入力部５０６は、マイクを用いて音声で個人ＩＤ情報の入力を行ってもよいし、レンズ及びイメージセンサを用いて個人ＩＤ情報を表すＱＲコード等の識別子を読み取って、個人ＩＤ情報に変換してもよい。個人ＩＤ情報入力部５０６は、入力された個人ＩＤ情報を、個人ＩＤ情報登録部５０７へ出力する。
【０１６３】
個人ＩＤ情報登録部５０７は、例えば、ＣＰＵ、又はＭＰＵなどを用いて構成され、個人ＩＤ情報入力部５０６から入力された、個人ＩＤ情報を個人ＩＤ情報記憶部５０８へ出力して保存する。
【０１６４】
個人ＩＤ情報記憶部５０８は、例えば、半導体メモリ、又はハードディスク装置などを用いて構成され、個人ＩＤ情報入力部５０６から入力された個人ＩＤ情報を唯一つ保存する。
【０１６５】
個人ＩＤ情報取得部５０９は、例えば、ＣＰＵ、又はＭＰＵなどを用いて構成され、送信情報生成部５０４で送信データを生成する際に、個人ＩＤ情報記憶部５０８に保存された個人ＩＤ情報を取得し、送信情報生成部５０４へ出力する。
【０１６６】
表示部５１０は、例えば、ＬＣＤ、又は有機ＥＬディスプレイなどを用いて構成され、モバイル端末５００ａを所持する作業員に種々の情報を通知するために利用される。また、表示部５１０は、スピーカ等を備え、種々の情報を音声で作業員に通知するようにしてもよい。
【０１６７】
本実施の形態の機器点検システムの全体処理と、実施の形態２の機器点検システムの全体処理とは、図１３に示すモバイル端末５００の機器点検時処理が異なり、その他の処理は実施の形態２と同様であるので、詳細な説明を省略し、異なる処理についてのみ以下に説明する。図１６は、図１５に示すモバイル端末５００ａの機器点検時処理の一例を示すフローチャートである。
【０１６８】
まず、モバイル端末５００ａの画像入力部５０２は、実施の形態１と同様に、撮像部５０１により撮影された画像から撮像画像データを生成し、識別子認識部５０３へ入力する（ステップＳ５０）。このとき、画像入力部５０２は、所定のフレームレートで定期的に撮像画像データを生成し、各フレームの撮像画像データに対して以下の処理が繰り返し実行される。
【０１６９】
次に、識別子認識部５０３は、入力された撮像画像データに識別子となる機器識別標識６０１が存在しているか否かを検出する（ステップＳ５１）。機器識別標識６０１の検出に関しては、ＱＲコードの読み取りに利用されるような既知の技術を用いればよい。該当フレームの撮像画像データに機器識別標識６０１が存在していない場合（ステップＳ５１でＮＯ）、該当フレームの撮像画像データに対して何もせずに処理を終了する。該当フレームの撮像画像データに機器識別標識６０１が存在している場合（ステップＳ５１でＹＥＳ）、ステップＳ５２の処理へ進む。
【０１７０】
次に、個人ＩＤ情報取得部５０９は、個人ＩＤ情報記憶部５０８に個人ＩＤ情報が登録されているか否かを判定する（ステップＳ５２）。個人ＩＤ情報が登録されていない場合（ステップＳ５２でＮＯ）、ステップＳ５３へ処理を進め、個人ＩＤ情報が登録されている場合（ステップＳ５１でＹＥＳ）、ステップＳ５５へ処理を進める。
【０１７１】
個人ＩＤ情報が登録されていない場合（ステップＳ５２でＮＯ）、個人ＩＤ情報取得部５０９は、個人ＩＤ情報の登録を行うように警告するメッセージを表示するように表示部５１０に指示し、表示部５１０は、個人ＩＤ情報の登録を行うように警告するメッセージを表示する（ステップＳ５３）。
【０１７２】
なお、警告の通知方法は、表示部５１０がディスプレイで構成される場合には、警告メッセージを表示してもよいし、表示部５１０がスピーカで構成されるのであれば、音声による警告通知を行うようにしてもよい。
【０１７３】
次に、モバイル端末５００ａを所持する作業員が個人ＩＤ情報を登録するため、個人ＩＤ情報を入力すると、個人ＩＤ情報入力部５０６は、入力された個人ＩＤ情報を、個人ＩＤ情報登録部５０７へ出力し、個人ＩＤ情報登録部５０７は、個人ＩＤ情報入力部５０６から入力された個人ＩＤ情報を個人ＩＤ情報記憶部５０８に登録する（ステップＳ５４）。 
【０１７４】
次に、個人ＩＤ情報取得部５０９は、個人ＩＤ情報記憶部５０８に保存された個人ＩＤ情報を取得して送信情報生成部５０４へ出力し、また、識別子認識部５０３は、撮像画像データから既知の技術を用いて機器識別標識６０１を認識し、機器識別標識６０１を機器ＩＤ情報に変換して送信情報生成部５０４へ出力する（ステップＳ５５）。
【０１７５】
次に、送信情報生成部５０４は、変換された機器ＩＤ情報及び個人ＩＤ情報記憶部５０８に保存されていた個人ＩＤ情報を用いて送信データを作成する（ステップＳ５６）。
【０１７６】
次に、ＩＤ情報送信部５０５は、ネットワークを介して、作成された送信データを機器管理装置４００へ送信する（ステップＳ５７）。
【０１７７】
機器ＩＤ情報及び個人ＩＤ情報が機器管理装置４００で受信されると、実施の形態２と同様の処理により、作業記録情報の編集権限が付与され、作業記録の作成が可能となる。
【０１７８】
以上のように、本実施の形態における機器点検システムの構成によれば、機器管理装置４００と、モバイル端末５００ａとによって、読み取った点検対象の機器６００の機器ＩＤ情報及び登録された作業員を識別する個人ＩＤ情報と、作業指示情報に含まれる機器ＩＤ情報及び個人ＩＤ情報とを利用して、作業記録情報の編集権限を付与することにより、作業員が点検対象の機器を誤認することなく点検業務を行うことができる。
【０１７９】
また、作業員が点検対象の機器６００の前に行って、モバイル端末５００ａによって機器６００に具備された機器識別標識６０１を認識させる必要があるので、現場に行かずに虚偽の作業記録情報を作成することを防ぐことが可能となる。さらに、機器６００の点検を行う前に、個人ＩＤ情報をモバイル端末５００ａに登録しておくことにより、作業現場での処理を減らすことができる。
【０１８０】
（実施の形態４）
次に、本開示の実施の形態４に係る機器点検システムについて説明する。本実施の形態では、実施の形態２の構成と同様に、運営本部から作業指示が出される際の作業指示情報は、少なくとも機器の機器ＩＤ情報に加えて、作業を行う予定の作業員又はグループの個人ＩＤ情報を含み、機器の機器ＩＤ情報に加えて、個人ＩＤ情報を用いて作業記録情報の編集権限を付与するが、機器は、個人認証機能を持つ機器表示板を備え、機器表示板に個人ＩＤ情報に対応した識別子を表示することを特徴とする。
【０１８１】
すなわち、本実施の形態では、実施の形態２のように個人ＩＤ情報に対応する個人識別標識７０１を持つＩＤカード７００を用いて個人ＩＤ情報の判定を行うのではなく、個人識別標識を表示する表示部となる機器表示板を撮影することを特徴とする。
【０１８２】
したがって、本実施の形態の機器点検システムの構成は、機器が機器表示板を備える点を除き、図１に示す機器点検システムの構成と同様であり、機器管理装置の構成は、図４に示す機器管理装置４００の構成と同様であり、モバイル端末の構成は、図５に示すモバイル端末５００の構成と同様であるため、図示及び共通する部分の説明を省略し、実施の形態１、２と異なる点について、以下に詳細に説明する。
【０１８３】
図１７は、本開示の実施の形態４に係る機器点検システムの機器に備えられた機器表示板の構成の一例を示すブロック図である。図１７に示す機器６００ａは、機器表示板６１０を備え、機器表示板６１０は、生体情報入力部６１１と、作業員情報記憶部６１２と、個人識別部６１３と、機器情報記憶部６１４と、識別子生成部６１５と、識別子表示部６１６とを備える。
【０１８４】
機器表示板６１０は、例えば、機器６００ａの前面の所定位置に設けられている。機器表示板６１０は、作業員の生体情報から作業員の個人ＩＤ情報に対応するＱＲコード等の識別子となる個人識別標識（例えば、図１２に示す個人識別標識７０１と同様のＱＲコード）を生成し、機器６００ａの機器番号を示す識別子となる機器識別標識（例えば、図２に示す機器識別標識６０１と同様のＱＲコード）と同時に表示する。
【０１８５】
生体情報入力部６１１は、例えば、レンズとイメージセンサとを有するカメラなどを用いて構成され、生体認証を行うための顔の撮影等に用いられる。具体的には、生体情報入力部６１１は、作業者が点検現場に到着したとき、作業者の顔を撮影し、撮影した画像を電気信号に変換して画像データを個人識別部６１３に出力する。なお、生体認証は、上記の例に特に限定されず、指紋や虹彩等の他の生体情報を用いてもよい。
【０１８６】
作業員情報記憶部６１２は、例えば、半導体メモリ、又はハードディスク装置などを用いて構成され、作業員の顔の情報などの生体情報と、作業員の個人ＩＤ情報とを対応付けて記憶している。
【０１８７】
個人識別部６１３は、例えば、ＣＰＵ、ＭＰＵ、ＤＳＰ、ＡＳＩＣ、又はＦＰＧＡ等によって構成され、入力された画像データから生体情報を抽出し、作業員情報記憶部６１２に保存された生体情報と照合する機能を有する。例えば、個人識別部６１３は、生体情報入力部６１１から入力された画像データから顔を検出し、検出した顔の情報と作業員情報記憶部６１２に記憶された顔の情報とを比較し、一致した顔の情報に対応する個人ＩＤ情報を識別子生成部６１５へ出力する。
【０１８８】
機器情報記憶部６１４は、例えば、半導体メモリ、又はハードディスク装置などを用いて構成され、機器６００ａの機器ＩＤ情報を記憶している。
【０１８９】
識別子生成部６１５は、例えば、ＣＰＵ、ＭＰＵ、ＤＳＰ、ＡＳＩＣ、又はＦＰＧＡ等によって構成され、機器情報記憶部６１４から機器６００ａの機器ＩＤ情報を読み出し、既知の技術を用いて、入力された個人ＩＤ情報及び読み出した機器ＩＤ情報から識別子となる個人識別標識及び機器識別標識を生成し、識別子表示部６１６へ出力する。
【０１９０】
識別子表示部６１６は、例えば、ＬＣＤ、又は有機ＥＬディスプレイなどを用いて構成されたディスプレイ装置である。例えば、識別子表示部６１６は、識別子生成部６１５から識別子となる個人識別標識及び機器識別標識の情報を受信すると、一定時間の間だけ個人識別標識及び機器識別標識を画面上に表示する機能を有する。
【０１９１】
本実施の形態の機器点検システムの全体処理と、実施の形態２の機器点検システムの全体処理とは、機器表示板６１０の機器点検時処理が追加された点が異なり、その他の処理は実施の形態２と同様であるので、詳細な説明を省略し、異なる処理についてのみ以下に説明する。図１８は、図１７に示す機器表示板６１０の機器点検時処理の一例を示すフローチャートである。
【０１９２】
まず、機器表示板６１０の生体情報入力部６１１は、作業者の顔を撮影し、撮影した画像から画像データを生成し、個人識別部６１３へ入力する（ステップＳ６０）。このとき、生体情報入力部６１１は、所定のフレームレートで定期的に画像データを生成し、各フレームの画像データに対して以下の処理が繰り返し実行される。
【０１９３】
次に、個人識別部６１３は、入力された画像データから顔の検出を行う（ステップＳ６１）。なお、顔の検出や生体情報の照合については、既知の技術を用いるため、説明を割愛する。
【０１９４】
次に、個人識別部６１３は、上記の顔検出処理により作業者の顔を検出したか否かを判定する（ステップＳ６２）。顔が検出できなかった場合（ステップＳ６２でＮＯ）、該当フレームの画像データに対する処理を終了し、顔が検出できた場合（ステップＳ６２でＹＥＳ）、ステップＳ６３へ処理を進める。
【０１９５】
次に、個人識別部６１３は、検出された顔について、作業員情報記憶部６１２に登録されている作業員の生体情報（顔情報）との照合を行う（ステップＳ６３）。
【０１９６】
次に、個人識別部６１３は、検出された顔と一致する生体情報（顔情報）が作業員情報記憶部６１２に存在するか否かを判定する（ステップＳ６４）。生体情報の照合に失敗した場合（ステップＳ６４でＮＯ）、該当フレームの画像データに対する処理を終了し、生体情報の照合に成功した場合（ステップＳ６４でＹＥＳ）、ステップＳ６５へ処理を進める。
【０１９７】
次に、個人識別部６１３は、検出された顔と一致する生体情報（顔情報）に対応する個人ＩＤ情報を作業員情報記憶部６１２から読み出して識別子生成部６１５へ出力し、識別子生成部６１５は、機器情報記憶部６１４に記憶された機器ＩＤ情報を取得し、取得した機器ＩＤ情報と、入力された個人ＩＤ情報とから既知の技術を用いてＱＲコード等の識別子となる個人識別標識及び機器識別標識を生成する（ステップＳ６５）。
【０１９８】
次に、識別子表示部６１６は、生成された識別子となる個人識別標識及び機器識別標識を表示する（ステップＳ６６）。その後、次のフレームの画像データを処理するために、ステップＳ６０以降の処理を繰り返す。以上が機器表示板６１０の処理の説明である。
【０１９９】
以上のように、本実施の形態における機器点検システムの構成によれば、機器６００ａの点検を行う作業員は、モバイル端末５００を用いて、機器表示板６１０に表示された機器ＩＤ情報及び個人ＩＤ情報を示す機器識別標識及び個人識別標識を読み取り、読み取った機器ＩＤ情報及び個人ＩＤ情報と、機器管理装置４００の作業指示情報に含まれる機器ＩＤ情報及び個人ＩＤ情報とを利用して、作業記録情報の編集権限を付与することにより、作業員が点検対象の機器６００ａを誤認することなく点検業務を行うことができる。
【０２００】
また、作業員が点検対象の機器６００ａの機器表示板６１０の前に行って、モバイル端末５００によって、機器表示板６１０に表示された機器識別標識及び個人識別標識を認識させる必要があるので、現場に行かずに虚偽の作業記録情報を作成することを防ぐことが可能となる。
【０２０１】
さらに、生体認証を用いて、機器６００ａの機器表示板６１０に作業員の個人ＩＤ情報を表示させているので、ＩＤカードを利用することや、個人ＩＤ情報をモバイル端末に登録する手間を省略し、現場での点検業務を行うことができる。
【０２０２】
なお、本実施の形態では、モバイル端末５００で機器識別標識及び個人識別標識を同時に撮影することを特徴としているが、実施の形態２の変形例と同様に、機器識別標識と個人識別標識７０１とを別々に撮影し、機器ＩＤ情報及び個人ＩＤ情報の送信に加えて、機器識別標識６０１を読み取った際の時間情報と、個人識別標識７０１を読み取った際の時間情報とを機器管理装置４００へ送信し、機器識別標識６０１を読み取った時刻と、個人識別標識７０１を読み取った時刻との時刻の差が所定の時間内であれば、同時に撮影したとみなしてもよい。
【０２０３】
具体的には、作業指示情報は、機器６００ａの点検を行う作業員を識別するための個人識別情報をさらに含み、機器表示板６１０は、機器６００ａの機器識別標識と、機器６００ａの点検を行う作業員の個人識別標識とを表示する。
【０２０４】
ここで、モバイル端末５００の撮像部５０１及び画像入力部５０２は、機器表示板６１０に表示された機器６００ａ機器識別標識の読み取りを行い、読み取った画像から生成した撮像画像データとともに、読み取り時刻を識別子認識部５０３に出力する。また、機器識別標識の読み取りと異なる時刻（機器識別標識の読み取り前又は後）において、撮像部５０１及び画像入力部５０２は、機器表示板６１０に表示された個人識別標識の読み取りを行い、読み取った画像から生成した撮像画像データとともに、読み取り時刻を識別子認識部５０３に出力する。識別子認識部５０３は、各撮像画像データから、読み取られた機器識別標識が対応する機器識別情報と、読み取られた個人識別標識が対応する個人識別情報とを特定し、特定した機器識別情報及び個人識別情報と、各読み取り時刻とを送信情報生成部５０４に出力する。送信情報生成部５０４は、特定した機器識別情報及び個人識別情報と、各読み取り時刻とを含む送信データを作成し、ＩＤ情報送信部５０５を用いて、作成した送信データを機器管理装置４００に送信する。
【０２０５】
機器管理装置４００のＩＤ情報受信部４０９は、モバイル端末５００から送信された、機器識別情報及び個人識別情報と、各読み取り時刻とを含む送信データを受信して編集権限付与部４１０に出力する。編集権限付与部４１０は、機器識別標識の読み取り時刻と、個人識別標識の読み取り時刻との間隔が所定時間内であり、且つ、受信した機器識別情報と、管理情報記憶部４０３に記憶されている作業指示情報に含まれる点検対象機器の機器識別情報とが一致し、且つ、受信した個人識別情報と、管理情報記憶部４０３に記憶されている作業指示情報に含まれる点検対象機器の個人識別情報とが一致する場合に、作業記録情報を編集可能にする。
【０２０６】
この場合、機器識別標識と、個人識別標識とが読み取られた間隔が所定時間内である場合に限り、点検対象の機器６００ａの機器識別情報の一致に加えて、作業員の個人識別情報の一致も確認しているので、複数の機器６００ａを点検する際、機器識別標識の読み取りと、個人識別標識の読み取りとを個別に行う場合でも、作業員が点検対象となる機器を誤認して作業記録情報を作成してしまうことを確実に防止することができるとともに、点検対象となる機器の現場に行ったことを担保し、現場に行かずに虚偽の作業記録情報が作成されることを確実に防止することができる。
【０２０７】
また、本実施の形態では、機器表示板６１０が機器識別標識及び個人識別標識を同時に表示しているが、この例に特に限定されず、機器６００ａが機器識別標識（例えば、図２に示す機器識別標識６０１）を具備し、機器表示板６１０が個人識別標識のみを表示する等の種々の変更が可能である。また、この場合も、機器識別標識及び個人識別標識の読み取りは、同時であってもよいし、個別であってもよい。
【産業上の利用可能性】
【０２０８】
本開示に係る機器点検システムは、点検対象の機器と作業指示情報の機器とを照合する機能と、点検を行う作業員と作業指示情報の担当作業員とを照合する機能とを有し、工場、プラント施設、及び建設現場などに設置された複数の機器（設備を含む）の点検を行う際に、誤認による点検ミスを防ぐことができるので、複数の機器の点検時に作成される作業記録情報を管理する管理装置に有用である。
【符号の説明】
【０２０９】
１００  サーバ装置
１０１  作業指示情報入力部
１０２  作業指示情報登録部
１０３  管理情報記憶部
１０４  管理情報送信部
１０５  作業記録情報受信部
１０６  作業記録情報登録部
２００  入力デバイス
３００  監視モニタ
４００Ａ〜４００Ｎ、４００  機器管理装置
４０１  管理情報受信部
４０２  管理情報登録部
４０３  管理情報記憶部
４０４  管理情報取得部
４０５  表示部
４０６  作業情報入力部
４０７  作業記録情報更新部
４０８  作業記録情報送信部
４０９  ＩＤ情報受信部
４１０  編集権限付与部
５００Ａ〜５００Ｎ、５００、５００ａ  モバイル端末
５０１  撮像部
５０２  画像入力部
５０３  識別子認識部
５０４  送信情報生成部
５０５  ＩＤ情報送信部
５０６  個人ＩＤ情報入力部
５０７  個人ＩＤ情報登録部
５０８  個人ＩＤ情報記憶部
５０９  個人ＩＤ情報取得部
５１０  表示部
６００Ａ〜６００Ｎ、６００  機器
６０１Ａ〜６０１Ｎ  機器識別標識
６１０  機器表示板
６１１  生体情報入力部
６１２  作業員情報記憶部
６１３  個人識別部
６１４  機器情報記憶部
６１５  識別子生成部
６１６  識別子表示部
７００  ＩＤカード
７０１  個人識別標識
【図１】
2017194946.tif 000003
【図２】
2017194946.tif 000004
【図３】
2017194946.tif 000005
【図４】
2017194946.tif 000006
【図５】
2017194946.tif 000007
【図６】
2017194946.tif 000008
【図７】
2017194946.tif 000009
【図８】
2017194946.tif 000010
【図９】
2017194946.tif 000011
【図１０】
2017194946.tif 000012
【図１１】
2017194946.tif 000013
【図１２】
2017194946.tif 000014
【図１３】
2017194946.tif 000015
【図１４】
2017194946.tif 000016
【図１５】
2017194946.tif 000017
【図１６】
2017194946.tif 000018
【図１７】
2017194946.tif 000019
【図１８】
2017194946.tif 000020